(57)【要約】  通信方法、基地局、および端末が開示され、これらは、２つの隣接するディスカバリ期間が比較的長い間隔を有する場合に、端末が、ディスカバリ期間の周波数−時間パターンを獲得することができないという従来技術の問題を解決するように、通信分野に適用される。この方法は、基地局が、現在のディスカバリ期間の現在のディスカバリフレームの識別子を生成するステップと、基地局が、現在のディスカバリ期間の現在のディスカバリフレームの識別子を同報通信するステップであって、基地局によって送信された同報通信を受信する端末が、同報通信における、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するようになる、ステップとを含む。
2016537868.tif 000002
【特許請求の範囲】
【請求項１】
基地局によって、現在のディスカバリ期間の現在のディスカバリフレームの識別子を生成するステップと、
前記基地局によって、前記現在のディスカバリ期間の前記現在のディスカバリフレームの前記識別子を同報通信するステップであって、前記基地局によって送信された前記同報通信を受信する端末が、前記同報通信における、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するようになる、ステップと
を含むことを特徴とする通信方法。
【請求項２】
基地局によって、現在のディスカバリ期間の現在のディスカバリフレームの識別子を取得するステップが、
前記基地局によって、前記現在のディスカバリ期間のシーケンス番号、およびディスカバリフレームの繰り返し周期に応じて、前記現在のディスカバリ期間の前記現在のディスカバリフレームの前記識別子を計算するステップを含むことを特徴とする請求項１に記載の方法。
【請求項３】
前記基地局によって、前記現在のディスカバリ期間のシーケンス番号、およびディスカバリフレームの繰り返し周期に応じて、前記現在のディスカバリ期間の前記現在のディスカバリフレームの前記識別子を計算する前記ステップが、
前記基地局によって、式  ｉｎｄｅｘ＝ｔ  ｍｏｄ  Ｎ  によって前記現在のディスカバリ期間の前記現在のディスカバリフレームの前記識別子を計算するステップを含み、
ｉｎｄｅｘが前記現在のディスカバリ期間の前記現在のディスカバリフレームの前記識別子であり、ｔが前記現在のディスカバリ期間の前記シーケンス番号であり、Ｎがディスカバリフレームの前記繰り返し周期であり、ｍｏｄがモジュロ演算であることを特徴とする請求項２に記載の方法。
【請求項４】
前記基地局によって、前記現在のディスカバリ期間の前記現在のディスカバリフレームの前記識別子を同報通信する前記ステップが、
前記基地局によって、前記現在のディスカバリ期間が到来する前に前記同報通信を送信するステップであって、前記同報通信が、前記現在のディスカバリ期間の前記現在のディスカバリフレームの前記識別子を含む、ステップ、または
前記基地局によって、前記現在のディスカバリ期間内に前記同報通信を送信するステップであって、前記同報通信が、前記現在のディスカバリ期間の前記現在のディスカバリフレームの前記識別子を含む、ステップを含むことを特徴とする請求項１に記載の方法。
【請求項５】
前記基地局によって、前記現在のディスカバリ期間の前記現在のディスカバリフレームの前記識別子を同報通信する前記ステップが、
前記基地局によって、前記事前設定ディスカバリ期間が到来する前に前記同報通信を送信するステップであって、前記同報通信が、前記現在のディスカバリ期間の前記現在のディスカバリフレームの前記識別子を含む、ステップ、または
前記基地局によって、前記事前設定ディスカバリ期間内に前記同報通信を送信するステップであって、前記同報通信が、前記現在のディスカバリ期間の前記現在のディスカバリフレームの前記識別子を含む、ステップを含むことを特徴とする請求項１に記載の方法。
【請求項６】
端末によって、基地局によって送信された同報通信を受信し、前記同報通信から、現在のディスカバリ期間の現在のディスカバリフレームの識別子を獲得するステップと、
前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するステップと
を含むことを特徴とする通信方法。
【請求項７】
前記現在のディスカバリ期間の前記現在のディスカバリフレームの前記識別子が、前記現在のディスカバリ期間のシーケンス番号、およびディスカバリフレームの繰り返し周期に応じて取得されることを特徴とする請求項６に記載の方法。
【請求項８】
端末によって、基地局によって送信された同報通信を受信し、前記同報通信から、現在のディスカバリ期間の現在のディスカバリフレームの識別子を獲得する前記ステップが、
前記端末によって前記同報通信を使用することにより、前記現在のディスカバリ期間が到来する前に、前記現在のディスカバリ期間の前記現在のディスカバリフレームの前記識別子を受信するステップ、または
前記端末によって前記同報通信を使用することにより、前記現在のディスカバリ期間内に、前記現在のディスカバリ期間の前記現在のディスカバリフレームの前記識別子を受信するステップを含むことを特徴とする請求項６に記載の方法。
【請求項９】
前記現在のディスカバリ期間が事前設定ディスカバリ期間である場合、端末によって、基地局によって送信された同報通信を受信し、前記同報通信から現在のディスカバリ期間の現在のディスカバリフレームの識別子を獲得するステップは、
前記端末によって前記同報通信を使用することにより、前記事前設定ディスカバリ期間が到来する前に、前記現在のディスカバリ期間の前記現在のディスカバリフレームの前記識別子を受信するステップ、もしくは
前記端末によって前記同報通信を使用することにより、前記事前設定ディスカバリ期間内に、前記現在のディスカバリ期間の前記現在のディスカバリフレームの前記識別子を受信するステップを含む、または
前記現在のディスカバリ期間が、前記事前設定ディスカバリ期間の後のディスカバリ期間である場合、端末によって、基地局によって送信された同報通信を受信し、前記同報通信から現在のディスカバリ期間の現在のディスカバリフレームの識別子を獲得するステップが、
前記端末によって、前記事前設定ディスカバリ期間の現在のディスカバリフレームの識別子、およびシステムクロックに応じて、前記現在のディスカバリ期間の前記現在のディスカバリフレームの前記識別子を計算するステップを含むことを特徴とする請求項６に記載の方法。
【請求項１０】
現在のディスカバリ期間の現在のディスカバリフレームの識別子を生成するように構成された識別子生成ユニットと、
前記識別子生成ユニットによって生成された、前記現在のディスカバリ期間の前記現在のディスカバリフレームの前記識別子を同報通信するように構成された同報通信ユニットであって、前記基地局によって送信された前記同報通信を受信する端末が、前記同報通信の、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するようになる、同報通信ユニットと
を備えることを特徴とする基地局。
【請求項１１】
前記識別子生成ユニットが、
前記現在のディスカバリ期間のシーケンス番号、およびディスカバリフレームの繰り返し周期に応じて、前記現在のディスカバリ期間の前記現在のディスカバリフレームの前記識別子を計算するように特に構成されることを特徴とする請求項１０に記載の基地局。
【請求項１２】
前記識別子生成ユニットが、
式  ｉｎｄｅｘ＝ｔ  ｍｏｄ  Ｎ  によって前記現在のディスカバリ期間の前記現在のディスカバリフレームの前記識別子を計算するように特に構成され、
ｉｎｄｅｘが前記現在のディスカバリ期間の前記現在のディスカバリフレームの前記識別子であり、ｔが前記現在のディスカバリ期間の前記シーケンス番号であり、Ｎがディスカバリフレームの前記繰り返し周期であり、ｍｏｄがモジュロ演算であることを特徴とする請求項１１に記載の基地局。
【請求項１３】
前記同報通信ユニットが、
前記現在のディスカバリ期間が到来する前に前記同報通信を送信するように特に構成され、前記同報通信が、前記識別子生成ユニットによって生成された、前記現在のディスカバリ期間の前記現在のディスカバリフレームの前記識別子を含むか、または
前記現在のディスカバリ期間内に前記同報通信を送信するように特に構成され、前記同報通信が、前記識別子生成ユニットによって生成された、前記現在のディスカバリ期間の前記現在のディスカバリフレームの前記識別子を含むことを特徴とする請求項１０に記載の基地局。
【請求項１４】
前記同報通信ユニットが、
前記事前設定ディスカバリ期間が到来する前に前記同報通信を送信するように特に構成され、前記同報通信が、前記識別子生成ユニットによって生成された、前記現在のディスカバリ期間の前記現在のディスカバリフレームの前記識別子を含むか、または
前記事前設定ディスカバリ期間内に前記同報通信を送信するように特に構成され、前記同報通信が、前記識別子生成ユニットによって生成された、前記現在のディスカバリ期間の前記現在のディスカバリフレームの前記識別子を含むことを特徴とする請求項１０に記載の基地局。
【請求項１５】
基地局によって送信された同報通信を受信し、前記同報通信から現在のディスカバリ期間の現在のディスカバリフレームの識別子を獲得するように構成された受信ユニットと、
前記受信ユニットによって獲得された、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するように構成された獲得ユニットと
を備えることを特徴とする端末。
【請求項１６】
前記受信ユニットによって獲得された、前記現在のディスカバリ期間の前記現在のディスカバリフレームの前記識別子が、前記現在のディスカバリ期間のシーケンス番号、およびディスカバリフレームの繰り返し周期に応じて取得されることを特徴とする請求項１５に記載の端末。
【請求項１７】
前記受信ユニットが、
前記同報通信を使用することにより、前記現在のディスカバリ期間が到来する前に、前記現在のディスカバリ期間の前記現在のディスカバリフレームの前記識別子を受信するように、または
前記同報通信を使用することにより、前記現在のディスカバリ期間内に、前記現在のディスカバリ期間の前記現在のディスカバリフレームの前記識別子を受信するように特に構成されることを特徴とする請求項１５に記載の端末。
【請求項１８】
前記現在のディスカバリ期間が事前設定ディスカバリ期間である場合、前記受信ユニットが、
前記同報通信を使用することにより、前記事前設定ディスカバリ期間が到来する前に、前記現在のディスカバリ期間の前記現在のディスカバリフレームの前記識別子を受信するように、もしくは
前記同報通信を使用することによって、前記事前設定ディスカバリ期間内に、前記現在のディスカバリ期間の前記現在のディスカバリフレームの前記識別子を受信するように特に構成されるか、または
前記現在のディスカバリ期間が、前記事前設定ディスカバリ期間の後のディスカバリ期間である場合、前記受信ユニットが、
前記事前設定ディスカバリ期間の現在のディスカバリフレームの識別子、およびシステムクロックに応じて、前記現在のディスカバリ期間の前記現在のディスカバリフレームの前記識別子を計算するように特に構成されることを特徴とする請求項１５に記載の端末。
【請求項１９】
少なくとも１つのプロセッサ、メモリ、バス、および送信機を備える基地局であって、前記バスが、前記プロセッサと前記メモリの間の接続および通信を実現するように構成され、前記メモリが、前記プロセッサによって実行されるプログラムコード、およびデータを記憶するように構成され、
前記プロセッサが、現在のディスカバリ期間の現在のディスカバリフレームの識別子を生成するように構成され、
前記送信機が、前記プロセッサで生成された、前記現在のディスカバリ期間の前記現在のディスカバリフレームの前記識別子を同報通信するように構成され、前記基地局によって送信された前記同報通信を受信する端末が、前記同報通信の、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するようになることを特徴とする基地局。
【請求項２０】
前記プロセッサが、
前記現在のディスカバリ期間のシーケンス番号、およびディスカバリフレームの繰り返し周期に応じて、前記現在のディスカバリ期間の前記現在のディスカバリフレームの前記識別子を計算するように特に構成されることを特徴とする請求項１９に記載の基地局。
【請求項２１】
前記プロセッサが、
式  ｉｎｄｅｘ＝ｔ  ｍｏｄ  Ｎ  によって前記現在のディスカバリ期間の前記現在のディスカバリフレームの前記識別子を計算するように特に構成され、
ｉｎｄｅｘが前記現在のディスカバリ期間の前記現在のディスカバリフレームの前記識別子であり、ｔが前記現在のディスカバリ期間の前記シーケンス番号であり、Ｎがディスカバリフレームの前記繰り返し周期であり、ｍｏｄがモジュロ演算であることを特徴とする請求項２０に記載の基地局。
【請求項２２】
前記送信機が、
前記現在のディスカバリ期間が到来する前に前記同報通信を送信するように特に構成され、前記同報通信が、前記プロセッサによって生成された、前記現在のディスカバリ期間の前記現在のディスカバリフレームの前記識別子を含むか、または
前記現在のディスカバリ期間内に前記同報通信を送信するように特に構成され、前記同報通信が、前記プロセッサによって生成された、前記現在のディスカバリ期間の前記現在のディスカバリフレームの前記識別子を含むことを特徴とする請求項１９に記載の基地局。
【請求項２３】
前記送信機が、
前記事前設定ディスカバリ期間が到来する前に前記同報通信を送信するように特に構成され、前記同報通信が、前記プロセッサによって生成された、前記現在のディスカバリ期間の前記現在のディスカバリフレームの前記識別子を含むか、または
前記事前設定ディスカバリ期間内に前記同報通信を送信するように特に構成され、前記同報通信が、前記プロセッサによって生成された、前記現在のディスカバリ期間の前記現在のディスカバリフレームの前記識別子を含むことを特徴とする請求項１９に記載の基地局。
【請求項２４】
少なくとも１つのプロセッサ、メモリ、バス、および受信機を備える端末であって、前記バスが、前記プロセッサと前記メモリとの間の接続および通信を実現するように構成され、前記メモリが、前記プロセッサによって実行されるプログラムコード、およびデータを記憶するように構成され、
前記受信機が、基地局によって送信された同報通信を受信し、前記プロセッサが、前記同報通信から現在のディスカバリ期間の現在のディスカバリフレームの識別子を獲得するように構成され、
前記プロセッサが、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するように構成されることを特徴とする端末。
【請求項２５】
前記現在のディスカバリ期間のシーケンス番号、およびディスカバリフレームの繰り返し周期に応じて、前記現在のディスカバリ期間の前記現在のディスカバリフレームの前記識別子が得られることを特徴とする請求項２４に記載の端末。
【請求項２６】
前記受信機が、
前記同報通信を使用することにより、前記現在のディスカバリ期間が到来する前に、前記現在のディスカバリ期間の前記現在のディスカバリフレームの前記識別子を受信するように、または
前記同報通信を使用することにより、前記現在のディスカバリ期間内に、前記現在のディスカバリ期間の前記現在のディスカバリフレームの前記識別子を受信するように特に構成されることを特徴とする請求項２４に記載の端末。
【請求項２７】
前記現在のディスカバリ期間が事前設定ディスカバリ期間である場合、前記受信機が、
前記端末によって前記同報通信を使用することにより、前記事前設定ディスカバリ期間が到来する前に、前記現在のディスカバリ期間の前記現在のディスカバリフレームの前記識別子を受信するように、もしくは
前記端末によって前記同報通信を使用することにより、前記事前設定ディスカバリ期間内に、前記現在のディスカバリ期間の前記現在のディスカバリフレームの前記識別子を受信するように特に構成されるか、または
前記現在のディスカバリ期間が、前記事前設定ディスカバリ期間の後のディスカバリ期間である場合、前記受信機が、
前記端末によって、前記事前設定ディスカバリ期間の現在のディスカバリフレームの識別子、およびシステムクロックに応じて、前記現在のディスカバリ期間の前記現在のディスカバリフレームの前記識別子を計算するように特に構成されることを特徴とする請求項２４に記載の端末。 
【発明の詳細な説明】
【技術分野】
【０００１】
本発明は通信分野に関し、特に通信方法、基地局、および端末に関する。
【背景技術】
【０００２】
エンドツーエンド通信（Device to Device、略してＤ２Ｄ）とは、端末（ユーザ機器、略してＵＥ）が基地局を使用せずに直接通信する通信モードのことである。Ｄ２Ｄ技術は、マクロネットワークの負担を減らすと共にＵＥ間の通信速度を向上する役割を果たすことができる。
【０００３】
ＵＥ間の直接通信を実現するために、ＵＥは、まず互いを発見する必要がある。Ｄ２Ｄ通信モードをロングタームエボリューション（Long Term Evolution、略してＬＴＥ）システムに導入するには、ディスカバリ（Discovery）期間がＬＴＥシステムの中に特定の規則に従って挿入される必要があり、各ＵＥは、別のＵＥに発見されるようにディスカバリ期間中にディスカバリ信号を送出する。現行のＬＴＥシステムのセルラー通信に影響を及ぼさないようにするために、すべての２つのディスカバリ期間の間の時間間隔は、たとえば数百ミリ秒から数秒までと長くなり得る。時間に関して、各ディスカバリ期間はいくつかの時間単位に分割され、その各々がｊ∈Ｊで表され、各時間単位は、周波数分割法の同一の規則に従っていくつかの周波数−領域単位に分割することができ、その各々がｉ∈Ｉで表される。ｊ番目の時間単位中のｉ番目の周波数−領域単位は、（ｉ，ｊ）番目の周波数−時間単位と呼ばれる。各ディスカバリ期間中に、Ｄ２Ｄディスカバリに関与する各ＵＥは、別のＵＥの検出を容易にするために、周波数−時間単位でディスカバリ信号を送出することができる。一般に、ディスカバリ信号を同時に送出するＵＥが互いを発見できないシナリオを考慮して、周波数−時間ホッピングが各ディスカバリ期間のパターンで実施される必要がある。すなわち、各ＵＥがディスカバリ信号を各ディスカバリ期間中に送出する周波数−時間位置が変えられ、その結果、各ＵＥには、他のすべてのＵＥに発見される機会があるようになり、またディスカバリ期間のパターンは、ディスカバリ期間の周波数−時間パターンになる。
【０００４】
しかし、ＬＴＥシステムにおいて、２つの連続したディスカバリ期間の間の間隔が長い場合、ＵＥは、ディスカバリ期間の周波数−時間パターンを取得することができない。
【発明の概要】
【課題を解決するための手段】
【０００５】
本発明の実施形態は、２つの連続したディスカバリ期間の間の間隔が長い場合に端末がディスカバリ期間の周波数−時間パターンを取得することができないという従来技術の問題を解決するための通信方法、基地局、および端末を提供する。
【０００６】
本発明の第１の態様によれば、
基地局によって、現在のディスカバリ期間の現在のディスカバリフレームの識別子を生成するステップと、
基地局によって、現在のディスカバリ期間の現在のディスカバリフレームの識別子を同報通信するステップであって、基地局によって送信された同報通信を受信する端末が、この同報通信の、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するようになるステップと
を含む通信方法が提供される。
【０００７】
第１の態様に関して、第１の可能な実現手法では、基地局によって、現在のディスカバリ期間の現在のディスカバリフレームの識別子を取得するステップは、
基地局によって、現在のディスカバリ期間のシーケンス番号、およびディスカバリフレームの繰り返し周期に応じて、現在のディスカバリ期間の現在のディスカバリフレームの識別子を計算するステップを含む。
【０００８】
第１の態様の第１の可能な実現手法に関して、第２の可能な実現手法では、基地局によって、現在のディスカバリ期間のシーケンス番号、およびディスカバリフレームの繰り返し周期に応じて、現在のディスカバリ期間の現在のディスカバリフレームの識別子を計算するステップは、
基地局によって、式  ｉｎｄｅｘ＝ｔ  ｍｏｄ  Ｎ  によって現在のディスカバリ期間の現在のディスカバリフレームの識別子を計算するステップ
を含み、ここで
ｉｎｄｅｘは現在のディスカバリ期間の現在のディスカバリフレームの識別子であり、ｔは現在のディスカバリ期間のシーケンス番号であり、Ｎはディスカバリフレームの繰り返し周期であり、ｍｏｄはモジュロ演算である。
【０００９】
第１の態様に関して、第３の可能な実現手法では、基地局によって、現在のディスカバリ期間の現在のディスカバリフレームの識別子を同報通信するステップは、
基地局によって、現在のディスカバリ期間が到来する前に同報通信を送信するステップであって、この同報通信が、現在のディスカバリ期間の現在のディスカバリフレームの識別子を含むステップ、または
基地局によって、現在のディスカバリ期間内に同報通信を送信するステップであって、この同報通信が、現在のディスカバリ期間の現在のディスカバリフレームの識別子を含むステップを含む。
【００１０】
第１の態様に関して、第４の可能な実現手法では、基地局で、現在のディスカバリ期間の現在のディスカバリフレームの識別子を同報通信するステップは、
基地局によって、事前設定ディスカバリ期間が到来する前に同報通信を送信するステップであって、この同報通信が、現在のディスカバリ期間の現在のディスカバリフレームの識別子を含むステップ、または
基地局によって、事前設定ディスカバリ期間内に同報通信を送信するステップであって、この同報通信が、現在のディスカバリ期間の現在のディスカバリフレームの識別子を含むステップを含む。
【００１１】
本発明の第２の態様によれば、
端末によって、基地局によって送信された同報通信を受信し、同報通信から、現在のディスカバリ期間の現在のディスカバリフレームの識別子を獲得するステップと、
現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するステップと
を含む通信方法が提供される。
【００１２】
第２の態様に関して、第１の可能な実現手法では、現在のディスカバリ期間の現在のディスカバリフレームの識別子が、現在のディスカバリ期間のシーケンス番号、およびディスカバリフレームの繰り返し周期に応じて取得される。
【００１３】
第２の態様に関して、第２の可能な実現手法では、端末によって、基地局によって送信された同報通信を受信し、同報通信から、現在のディスカバリ期間の現在のディスカバリフレームの識別子を獲得するステップは、
端末によって同報通信を使用することにより、現在のディスカバリ期間が到来する前に、現在のディスカバリ期間の現在のディスカバリフレームの識別子を受信するステップ、または
端末によって同報通信を使用することにより、現在のディスカバリ期間内に、現在のディスカバリ期間の現在のディスカバリフレームの識別子を受信するステップを含む。
【００１４】
第２の態様に関して、第３の可能な実現手法では、現在のディスカバリ期間が事前設定ディスカバリ期間である場合、端末によって、基地局から送信された同報通信を受信し、同報通信から現在のディスカバリ期間の現在のディスカバリフレームの識別子を獲得するステップは、
端末で同報通信を使用することによって、事前設定ディスカバリ期間が到来する前に、現在のディスカバリ期間の現在のディスカバリフレームの識別子を受信するステップ、もしくは
端末で同報通信を使用することによって、事前設定ディスカバリ期間内に、現在のディスカバリ期間の現在のディスカバリフレームの識別子を受信するステップを含むか、または
現在のディスカバリ期間が、事前設定ディスカバリ期間の後のディスカバリ期間である場合、端末によって、基地局によって送信された同報通信を受信し、同報通信から現在のディスカバリ期間の現在のディスカバリフレームの識別子を獲得するステップは、
端末によって、事前設定ディスカバリ期間の現在のディスカバリフレームの識別子、およびシステムクロックに応じて、現在のディスカバリ期間の現在のディスカバリフレームの識別子を計算するステップを含む。
【００１５】
本発明の第３の態様によれば、
現在のディスカバリ期間の現在のディスカバリフレームの識別子を生成するように構成された識別子生成ユニットと、
識別子生成ユニットによって生成された、現在のディスカバリ期間の現在のディスカバリフレームの識別子を同報通信するように構成された同報通信ユニットであって、基地局によって送信された同報通信を受信する端末が、同報通信の、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するようになる同報通信ユニットと
を含む基地局が提供される。
【００１６】
第３の態様に関して、第１の可能な実現手法では、識別子生成ユニットは、
現在のディスカバリ期間のシーケンス番号、およびディスカバリフレームの繰り返し周期に応じて、現在のディスカバリ期間の現在のディスカバリフレームの識別子を計算するように特に構成される。
【００１７】
第３の態様の第１の可能な実現手法に関して、第２の可能な実現手法では、識別子生成ユニットは、
式  ｉｎｄｅｘ＝ｔ  ｍｏｄ  Ｎ  によって現在のディスカバリ期間の現在のディスカバリフレームの識別子を計算するように特に構成され、ここで
ｉｎｄｅｘは現在のディスカバリ期間の現在のディスカバリフレームの識別子であり、ｔは現在のディスカバリ期間のシーケンス番号であり、Ｎはディスカバリフレームの繰り返し周期であり、ｍｏｄはモジュロ演算である。
【００１８】
第３の態様に関して、第３の可能な実現手法では、同報通信ユニットは、
現在のディスカバリ期間が到来する前に同報通信を送信するように特に構成され、この同報通信が、識別子生成ユニットによって生成された、現在のディスカバリ期間の現在のディスカバリフレームの識別子を含むか、または
現在のディスカバリ期間内に同報通信を送信するように特に構成され、この同報通信が、識別子生成ユニットによって生成された、現在のディスカバリ期間の現在のディスカバリフレームの識別子を含む。
【００１９】
第３の態様に関して、第４の可能な実現手法では、同報通信ユニットは、
事前設定ディスカバリ期間が到来する前に同報通信を送信するように特に構成され、この同報通信が、識別子生成ユニットによって生成された、現在のディスカバリ期間の現在のディスカバリフレームの識別子を含むか、または
事前設定ディスカバリ期間内に同報通信を送信するように特に構成され、この同報通信が、識別子生成ユニットによって生成された、現在のディスカバリ期間の現在のディスカバリフレームの識別子を含む。
【００２０】
本発明の第４の態様によれば、
基地局によって送信された同報通信を受信し、同報通信から現在のディスカバリ期間の現在のディスカバリフレームの識別子を獲得するように構成された受信ユニットと、
受信ユニットによって獲得された、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するように構成された獲得ユニットと
を含む端末が提供される。
【００２１】
第４の態様に関して、第１の可能な実現手法では、受信ユニットによって獲得された、現在のディスカバリ期間の現在のディスカバリフレームの識別子が、現在のディスカバリ期間のシーケンス番号、およびディスカバリフレームの繰り返し周期に応じて取得される。
【００２２】
第４の態様に関して、第２の可能な実現手法では、受信ユニットは、
同報通信を使用することにより、現在のディスカバリ期間が到来する前に、現在のディスカバリ期間の現在のディスカバリフレームの識別子を受信するように、または
同報通信を使用することによって、現在のディスカバリ期間内に、現在のディスカバリ期間の現在のディスカバリフレームの識別子を受信するように特に構成される。
【００２３】
第４の態様に関して、第３の可能な実現手法では、現在のディスカバリ期間が事前設定ディスカバリ期間である場合、受信ユニットは、
同報通信を使用することにより、事前設定ディスカバリ期間が到来する前に、現在のディスカバリ期間の現在のディスカバリフレームの識別子を受信するように、もしくは
同報通信を使用することにより、事前設定ディスカバリ期間内に、現在のディスカバリ期間の現在のディスカバリフレームの識別子を受信するように特に構成されるか、または
現在のディスカバリ期間が、事前設定ディスカバリ期間の後のディスカバリ期間である場合、受信ユニットは、
事前設定ディスカバリ期間の現在のディスカバリフレームの識別子、およびシステムクロックに応じて、現在のディスカバリ期間の現在のディスカバリフレームの識別子を計算するように特に構成される。
【００２４】
本発明の第５の態様によれば、少なくとも１つのプロセッサ、メモリ、バス、および送信機を備える基地局が提供され、バスは、プロセッサとメモリの間の接続および通信を実現するように構成され、メモリは、プロセッサによって実行されるプログラムコード、およびデータを記憶するように構成され、ここで
プロセッサは、現在のディスカバリ期間の現在のディスカバリフレームの識別子を生成するように構成され、
送信機は、プロセッサで生成された、現在のディスカバリ期間の現在のディスカバリフレームの識別子を同報通信するように構成され、基地局によって送信された同報通信を受信する端末は、同報通信の、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するようになる。
【００２５】
第５の態様に関して、第１の可能な実現手法では、プロセッサは、
現在のディスカバリ期間のシーケンス番号、およびディスカバリフレームの繰り返し周期に応じて、現在のディスカバリ期間の現在のディスカバリフレームの識別子を計算するように特に構成される。
【００２６】
第５の態様の第１の可能な実現手法に関して、第２の可能な実現手法では、プロセッサは、
式  ｉｎｄｅｘ＝ｔ  ｍｏｄ  Ｎ  によって現在のディスカバリ期間の現在のディスカバリフレームの識別子を計算するように特に構成され、ここで
ｉｎｄｅｘは現在のディスカバリ期間の現在のディスカバリフレームの識別子であり、ｔは現在のディスカバリ期間のシーケンス番号であり、Ｎはディスカバリフレームの繰り返し周期であり、ｍｏｄはモジュロ演算である。
【００２７】
第５の態様に関して、第３の可能な実現手法では、送信機は、
現在のディスカバリ期間が到来する前に同報通信を送信するように特に構成され、この同報通信が、プロセッサによって生成された、現在のディスカバリ期間の現在のディスカバリフレームの識別子を含むか、または
現在のディスカバリ期間内に同報通信を送信するように特に構成され、この同報通信が、プロセッサによって生成された、現在のディスカバリ期間の現在のディスカバリフレームの識別子を含む。
【００２８】
第５の態様に関して、第４の可能な実現手法では、送信機は、
事前設定ディスカバリ期間が到来する前に同報通信を送信するように特に構成され、この同報通信が、プロセッサによって生成された、現在のディスカバリ期間の現在のディスカバリフレームの識別子を含むか、または
事前設定ディスカバリ期間内に同報通信を送信するように特に構成され、この同報通信が、プロセッサで生成された、現在のディスカバリ期間の現在のディスカバリフレームの識別子を含む。
【００２９】
本発明の第６の態様によれば、少なくとも１つのプロセッサ、メモリ、バス、および受信機を備える端末が提供され、バスは、プロセッサとメモリの間の接続および通信を実現するように構成され、メモリは、プロセッサによって実行されるプログラムコード、およびデータを記憶するように構成され、ここで
受信機は、基地局によって送信された同報通信を受信し、プロセッサは、同報通信から現在のディスカバリ期間の現在のディスカバリフレームの識別子を獲得するように構成され、
プロセッサは、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するように構成される。
【００３０】
第６の態様に関して、第１の可能な実現手法では、現在のディスカバリ期間のシーケンス番号、およびディスカバリフレームの繰り返し周期に応じて、現在のディスカバリ期間の現在のディスカバリフレームの識別子が得られる。
【００３１】
第６の態様に関して、第２の可能な実現手法では、受信機は、
同報通信を使用することにより、現在のディスカバリ期間が到来する前に、現在のディスカバリ期間の現在のディスカバリフレームの識別子を受信するように、または
同報通信を使用することにより、現在のディスカバリ期間内に、現在のディスカバリ期間の現在のディスカバリフレームの識別子を受信するように、特に構成される。
【００３２】
第６の態様に関して、第３の可能な実現手法では、現在のディスカバリ期間が事前設定ディスカバリ期間である場合、受信機は、
端末によって同報通信を使用することにより、事前設定ディスカバリ期間が到来する前に、現在のディスカバリ期間の現在のディスカバリフレームの識別子を受信するように、もしくは
端末によって同報通信を使用することにより、事前設定ディスカバリ期間内に、現在のディスカバリ期間の現在のディスカバリフレームの識別子を受信するように、特に構成されるか、または
現在のディスカバリ期間が、事前設定ディスカバリ期間の後のディスカバリ期間である場合、受信機は、
端末によって、事前設定ディスカバリ期間の現在のディスカバリフレームの識別子、およびシステムクロックに応じて、現在のディスカバリ期間の現在のディスカバリフレームの識別子を計算するように特に構成される。
【００３３】
本発明の実施形態で提供される通信方法、基地局および端末によれば、基地局は、現在のディスカバリ期間の現在のディスカバリフレームの識別子を同報通信し、端末が、現在のディスカバリ期間の現在のディスカバリフレームの識別子に応じて、現在のディスカバリ期間の周波数−時間パターンを獲得するようになり、このことが、２つの連続したディスカバリ期間の間の間隔が長い場合に、端末がディスカバリ期間の周波数−時間パターンを取得することができないという従来技術の問題を解決する。
【図面の簡単な説明】
【００３４】
本発明の実施形態または従来技術における技術的解をより明確に説明するために、以下では、実施形態または従来技術を説明するために必要とされる添付図面を簡潔に導入する。明らかに、以下の説明での添付図面は、本発明のいくつかの実施形態を単に示すにすぎない。
【図１】本発明の実施形態による通信方法の概略流れ図である。
【図２】本発明の実施形態によるディスカバリ期間の周波数−時間パターンの概略図である。
【図３】本発明の別の実施形態による通信方法の概略流れ図である。
【図４】本発明の実施形態による基地局の概略構造図である。
【図５】本発明の実施形態による端末の概略構造図である。
【図６】本発明の別の実施形態による基地局の概略構造図である。
【図７】本発明の別の実施形態による端末の概略構造図である。
【発明を実施するための形態】
【００３５】
以下では、本発明の実施形態に関する添付の図面を参照して、本発明の実施形態における技術的解決を明確かつ完全に説明する。明らかに、説明する実施形態は本発明の実施形態の全部ではなく、単に一部にすぎない。
【００３６】
本発明の実施形態はＤ２Ｄ通信に適用可能であり、特に、Ｄ２Ｄ通信がＬＴＥシステムに導入されるシナリオに適用可能である。ＬＴＥは、本発明の実施形態における例として、説明のために使用される。Ｄ２Ｄ通信がＬＴＥシステムに導入される場合、一般にはいくつかの固定フレームがディスカバリ期間として使用され、かつＤ２Ｄ通信に割り当てられることができる。
【００３７】
図１は、本発明の実施形態による通信方法の概略流れ図である。この方法は基地局によって実行される。図１を参照すると、この方法は以下のステップを含むことができる。
【００３８】
１０１．  基地局は、現在のディスカバリ期間の現在のディスカバリフレームの識別子を生成する。
【００３９】
Ｄ２Ｄ通信では、各ディスカバリ期間中、Ｄ２Ｄ通信に関与する端末は、別の端末によって検出されるように周波数−時間単位でディスカバリ信号を送信することができる。別の端末によって発見される機会を各端末に与えるために、周波数−時間ホッピングが各ディスカバリ期間のパターンで実施される必要がある。すなわち、各端末は各ディスカバリ期間中に、異なる周波数−時間位置を有する。
【００４０】
現在のディスカバリフレームの識別子は、ディスカバリ期間の周波数−時間パターンを識別するために使用され、端末は、ディスカバリ期間の周波数−時間パターンに応じてディスカバリ信号を送信または受信する。
【００４１】
１０２．  基地局は、現在のディスカバリ期間の現在のディスカバリフレームの識別子を同報通信し、その結果、基地局から送信された同報通信を受信した端末が、同報通信の、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するようになる。
【００４２】
基地局は、現在のディスカバリ期間の現在のディスカバリフレームの識別子を同報通信で送信し、その同報通信を受信する端末は、同報通信の、現在のディスカバリ期間の現在のディスカバリフレームの識別子に応じて、現在のディスカバリ期間の周波数−時間パターンを取得する。特定の状況によっては、端末はさらに、現在のディスカバリ期間の周波数−時間パターンに応じて、現在のディスカバリ期間の後のディスカバリ期間の周波数−時間パターン、たとえば現在のディスカバリ期間の次のディスカバリ期間の周波数−時間パターンを獲得することもできる。
【００４３】
この実施形態では、基地局は、現在のディスカバリ期間の現在のディスカバリフレームの識別子を同報通信し、その結果、端末が、現在のディスカバリ期間の現在のディスカバリフレームの識別子に応じて、現在のディスカバリ期間の周波数−時間パターンを獲得するようになり、このことが、２つの連続したディスカバリ期間の間の間隔が長い場合に、端末がディスカバリ期間の周波数−時間パターンを取得することができないという従来技術の問題を解決する。
【００４４】
上記の解決に基づき、ステップ１０１では、基地局によって、現在のディスカバリ期間の現在のディスカバリフレームの識別子を取得するステップは好ましくは、
その基地局によって、現在のディスカバリ期間のシーケンス番号、およびディスカバリフレームの繰り返し周期に応じて、現在のディスカバリ期間の現在のディスカバリフレームの識別子を計算するステップを含む。
【００４５】
詳細には、基地局によって、現在のディスカバリ期間のシーケンス番号、およびディスカバリフレームの繰り返し周期に応じて、現在のディスカバリ期間の現在のディスカバリフレームの識別子を計算するステップは、以下の
式  ｉｎｄｅｘ＝ｔ  ｍｏｄ  Ｎ    （１）により、
基地局によって、現在のディスカバリ期間の現在のディスカバリフレームの識別子を計算するステップを含むことができ、ここで、
ｉｎｄｅｘは現在のディスカバリ期間の現在のディスカバリフレームの識別子であり、ｔは現在のディスカバリ期間のシーケンス番号であり、Ｎはディスカバリフレームの繰り返し周期であり、ｍｏｄはモジュロ演算であり、上記式（１）は、現在のディスカバリ期間のシーケンス番号がディスカバリフレームの繰り返し周期で割られた後に取得された剰余が、現在のディスカバリ期間の現在のディスカバリフレームの識別子になることを示す。
【００４６】
周波数−時間ホッピング解は一般に、現在のディスカバリ期間のｉ（ｔ）およびｊ（ｔ）の値を、周波数−時間位置の初期値、すなわち、ｉ（０）およびｊ（０）、ならびに現在のディスカバリ期間のシーケンス番号ｔの値に応じて算出して、現在のディスカバリ期間の周波数−時間位置を取得することである。
【００４７】
たとえば、図２に示されるように、ディスカバリ期間シーケンス番号ｔが０、１、２であるシナリオに対応するディスカバリ期間の周波数−時間パターンを参照する。ここで、周波数−時間パターンは、ディスカバリ期間シーケンス番号がｔであるときに０から８までのシーケンス番号を有する９つの端末の周波数−時間位置である。図２では、水平座標は時間単位ｊに対応し、垂直座標は周波数領域単位ｉに対応する。
【００４８】
図２に示される周波数−時間ホッピング解は、以下の手段によって取得することができる。
【００４９】
Ｉ＝｛０，１，．．．，ｍ−１｝、Ｊ＝｛０，１，．．．，ｎ−１｝、ｍ≦ｎ、
ｉ（ｔ）＝ｉ（０）＋ｃ＊  ｍｏｄ  ｍ    （２）
ｊ（ｔ）＝ｊ（０）＋ｉ（０）＊ｔ  ｍｏｄ  ｎ    （３）、ここで
ｃは定数である。
【００５０】
たとえば、ｍ＝ｎ＝３、ｃ＝１であり、シーケンス番号０を有する端末がディスカバリ信号を送信する周波数−時間位置の初期値は、ｉ（０）＝０およびｊ（０）＝０である。図２では、ディスカバリ期間シーケンス番号ｔ＝０に対応するディスカバリ期間の現在のディスカバリフレームの識別子では、周波数−時間位置は（０，０）である。そのｉ（１）＝１およびｊ（１）＝０は、式（２）および式（３）によって取得することができ、また図２では、ディスカバリ期間シーケンス番号ｔ＝１に対応するディスカバリ期間の周波数−時間パターンでは、周波数−時間位置は（１，０）になる。シーケンス番号１を有する端末がディスカバリ信号を送信する周波数−時間位置の初期値は、ｉ（０）＝０およびｊ（０）＝１である。図２では、ディスカバリ期間シーケンス番号ｔ＝０に対応するディスカバリ期間の周波数−時間パターンでは、周波数−時間位置は（０，１）である。そのｉ（１）＝１およびｊ（１）＝１は、式（２）および式（３）によって取得することができ、また図２では、ディスカバリ期間シーケンス番号ｔ＝１に対応するディスカバリ期間の周波数−時間パターンでは、周波数−時間位置は（１，１）になる。
【００５１】
上記式（２）および上記式（３）から、ｔが２よりも大きいディスカバリ期間のホッピングパターンが、図１に示されるホッピングパターンに応じて周期的に現れることが分かり得る。図２のディスカバリ期間のホッピングパターンの繰り返し周期Ｎは３である。
【００５２】
したがって、現在のディスカバリ期間の現在のディスカバリフレームの識別子は、上記式（１）によって計算することができる。
【００５３】
現在のディスカバリ期間の現在のディスカバリフレームの識別子は、ディスカバリ期間の繰り返し周期中のディスカバリ期間シーケンス番号ｔの相対シーケンス番号、すなわち（ｔ  ｍｏｄ  Ｎ）であり得る。たとえば、Ｎ＝３で、ｔ＝０のとき、対応するディスカバリ期間の現在のディスカバリフレームの識別子は０であり、ｔ＝１のとき、対応するディスカバリ期間の現在のディスカバリフレームの識別子は１になり、２よりも大きいｔの値については、ｔ＝３のとき、対応するディスカバリ期間の現在のディスカバリフレームの識別子は０になり、ｔ＝４のとき、対応するディスカバリ期間の現在のディスカバリフレームの識別子は１になる。
【００５４】
ＬＴＥシステムでは、基地局は、現在のディスカバリ期間の現在のディスカバリフレームの識別子を同報通信することができ、その同報通信を受信する端末は、同報通信から現在のディスカバリ期間の現在のディスカバリフレームの識別子を取得する。現在のディスカバリフレームの識別子は、現在のディスカバリ期間のシーケンス番号、および現在のディスカバリフレームの識別子の繰り返し周期に応じて取得され、端末は、その現在のディスカバリフレームの識別子に応じて、現在のディスカバリ期間の周波数−時間パターンを取得する。
【００５５】
さらに、上記の解に基づいて、基地局によって、現在のディスカバリ期間の現在のディスカバリフレームの識別子を同報通信するステップは、
基地局によって、その同報通信を現在のディスカバリ期間が到来する前に送信するステップを含み、ここで、同報通信は、現在のディスカバリ期間の現在のディスカバリフレームの識別子を含むことができる。
【００５６】
ＬＴＥシステムのＤ２Ｄ通信に割り当てられた各ディスカバリ期間が到来する前に基地局によって送信された同報通信は、現在のディスカバリ期間の現在のディスカバリフレームの識別子を含み、その同報通信を受信する端末は、同報通信から現在のディスカバリ期間の現在のディスカバリフレームの識別子を取得し、その現在のディスカバリ期間の現在のディスカバリフレームの識別子に応じて、現在のディスカバリ期間の周波数−時間パターンを取得する。
【００５７】
あるいは、基地局は、現在のディスカバリ期間内で同報通信を送信し、ここで同報通信は、現在のディスカバリ期間の現在のディスカバリフレームの識別子を含む。
【００５８】
基地局はまた、ＬＴＥシステムのＤ２Ｄ通信に割り当てられた各ディスカバリ期間内に、現在のディスカバリ期間の現在のディスカバリフレームの識別子を含む同報通信を送信することもでき、その同報通信を受信する端末は、同報通信から現在のディスカバリ期間の現在のディスカバリフレームの識別子を取得し、その現在のディスカバリ期間の現在のディスカバリフレームの識別子に応じて、現在のディスカバリ期間の周波数−時間パターンを取得する。
【００５９】
この解では、基地局は、同報通信を使用することにより、現在のディスカバリ期間が到来する前に、または現在のディスカバリ期間内に、現在のディスカバリ期間の現在のディスカバリフレームの識別子を送信し、その結果、その同報通信を受信する端末が、現在のディスカバリ期間の現在のディスカバリフレームの識別子に応じて、現在のディスカバリ期間の周波数−時間パターン、または現在のディスカバリ期間の後のディスカバリ期間の周波数−時間パターンを取得できるようになる。
【００６０】
選択的に、基地局はまた、ＬＴＥシステムのＤ２Ｄ通信に割り当てられたいくつかのディスカバリ期間内に、現在のディスカバリ期間の現在のディスカバリフレームの識別子を含む同報通信を送信することもできる。現在のディスカバリ期間が事前設定ディスカバリ期間である場合、基地局によって、現在のディスカバリ期間の現在のディスカバリフレームの識別子を同報通信するステップは、
基地局によって、事前設定ディスカバリ期間が到来する前に同報通信を送信するステップであって、この同報通信が、現在のディスカバリ期間の現在のディスカバリフレームの識別子を含む、ステップ、または
基地局によって、事前設定ディスカバリ期間内に同報通信を送信するステップであって、この同報通信が、現在のディスカバリ期間の現在のディスカバリフレームの識別子を含む、ステップを含むことができる。
【００６１】
事前設定ディスカバリ期間は、ＬＴＥシステムのＤ２Ｄ通信に割り当てられたディスカバリ期間中に、いくつかのディスカバリ期間を含むことができる。詳細には、以下の解が含まれ得る。
【００６２】
解１：ディスカバリフレームの繰り返し周期がＮであり、ここで、Ｎは２で割り切れる整数を含む。
【００６３】
システムは、（２ｋ  ｍｏｄ  Ｎ）の値を２ｋ番目ディスカバリ期間内、または２ｋ番目ディスカバリ期間が到来する前に同報通信し、その値を現在のディスカバリ期間の現在のディスカバリフレームの識別子として使用することができ、ここでｋ＝０，１，２．．．である。
【００６４】
端末は、その現在のディスカバリ期間の現在のディスカバリフレームの識別子に応じて、現在のディスカバリ期間の周波数−時間パターンを取得する。
【００６５】
解２：ディスカバリフレームの繰り返し周期がＮであり、ここで、Ｎは２で割り切れる整数を含む。
【００６６】
システムは、（ｋ  ｍｏｄ  Ｎ／２）の値を２ｋ番目ディスカバリ期間内、または２ｋ番目ディスカバリ期間が到来する前に同報通信し、その値を現在のディスカバリ期間の現在のディスカバリフレームの識別子として使用することができ、ここでｋ＝０，１，２．．．である。
【００６７】
端末は、この現在のディスカバリ期間の現在のディスカバリフレームの識別子に応じて、（２ｋ  ｍｏｄ  Ｎ）を取得し、これは、現在のディスカバリ期間のシーケンス番号を取得することに等しく、その結果、現在のディスカバリ期間の周波数−時間パターンが取得されるようになる。
【００６８】
解３：ディスカバリフレームの繰り返し周期がＮであり、ここで、Ｎは２で割り切れる整数を含む。
【００６９】
システムは、（２ｋ＋１  ｍｏｄ  Ｎ）の値を（２ｋ＋１）番目ディスカバリ期間内、または（２ｋ＋１）番目ディスカバリ期間が到来する前に同報通信し、その値を現在のディスカバリ期間の現在のディスカバリフレームの識別子として使用することができ、ここでｋ＝０，１，２．．．である。
【００７０】
端末は、この現在のディスカバリ期間の現在のディスカバリフレームの識別子に応じて、現在のディスカバリ期間の周波数−時間パターンを取得する。
【００７１】
解４：ディスカバリフレームの繰り返し周期がＮであり、ここで、Ｎは２で割り切れる整数を含む。
【００７２】
システムは、（ｋ  ｍｏｄ  Ｎ／２）の値を（２ｋ＋１）番目ディスカバリ期間内、または（２ｋ＋１）番目ディスカバリ期間が到来する前に同報通信し、その値を現在のディスカバリ期間の現在のディスカバリフレームの識別子として使用することができ、ここでｋ＝０，１，２．．．である。
【００７３】
端末は、この現在のディスカバリ期間の現在のディスカバリフレームの識別子に応じて、（２ｋ＋１  ｍｏｄ  Ｎ）を取得し、これは、現在のディスカバリ期間のシーケンス番号を取得することに等しく、その結果、現在のディスカバリ期間の周波数−時間パターンが取得されるようになる。
【００７４】
解５：ディスカバリフレームの繰り返し周期がＮであり、ここで、Ｎは３で割り切れる整数を含む。
【００７５】
システムは、（３ｋ  ｍｏｄ  Ｎ）の値を３ｋ番目ディスカバリ期間内、または３ｋ番目ディスカバリ期間が到来する前に同報通信し、その値を現在のディスカバリ期間の現在のディスカバリフレームの識別子として使用することができ、ここでｋ＝０，１，２．．．である。
【００７６】
端末は、この現在のディスカバリ期間の現在のディスカバリフレームの識別子に応じて、現在のディスカバリ期間の周波数−時間パターンを取得する。
【００７７】
解６：ディスカバリフレームの繰り返し周期がＮであり、ここで、Ｎは３で割り切れる整数を含む。
【００７８】
システムは、（ｋ  ｍｏｄ  Ｎ／３）の値を３ｋ番目ディスカバリ期間内、または３ｋ番目ディスカバリ期間が到来する前に同報通信し、その値を現在のディスカバリ期間の現在のディスカバリフレームの識別子として使用することができ、ここでｋ＝０，１，２．．．である。
【００７９】
端末は、この現在のディスカバリ期間の現在のディスカバリフレームの識別子に応じて、（３ｋ  ｍｏｄ  Ｎ）を取得し、これは、現在のディスカバリ期間のシーケンス番号を取得することに等しく、その結果、現在のディスカバリ期間の周波数−時間パターンが取得されるようになる。
【００８０】
解７：ディスカバリフレームの繰り返し周期がＮであり、ここで、Ｎは３で割り切れる整数を含む。
【００８１】
システムは、（３ｋ＋１  ｍｏｄ  Ｎ）の値を（３ｋ＋１）番目ディスカバリ期間内、または（３ｋ＋１）番目ディスカバリ期間が到来する前に同報通信し、その値を現在のディスカバリ期間の現在のディスカバリフレームの識別子として使用することができ、ここでｋ＝０，１，２．．．である。
【００８２】
端末は、この現在のディスカバリ期間の現在のディスカバリフレームの識別子に応じて、現在のディスカバリ期間の周波数−時間パターンを取得する。
【００８３】
解８：ディスカバリフレームの繰り返し周期がＮであり、ここで、Ｎは３で割り切れる整数を含む。
【００８４】
システムは、（ｋ  ｍｏｄ  Ｎ／３）の値を（３ｋ＋１）番目ディスカバリ期間内、または（３ｋ＋１）番目ディスカバリ期間が到来する前に同報通信し、その値を現在のディスカバリ期間の現在のディスカバリフレームの識別子として使用することができ、ここでｋ＝０，１，２．．．である。
【００８５】
端末は、この現在のディスカバリ期間の現在のディスカバリフレームの識別子に応じて、（３ｋ＋１  ｍｏｄ  Ｎ）を取得し、これは、現在のディスカバリ期間のシーケンス番号を取得することに等しく、その結果、現在のディスカバリ期間の周波数−時間パターンが取得されるようになる。
【００８６】
解９：ディスカバリフレームの繰り返し周期がＮであり、ここで、Ｎは３で割り切れる整数を含む。
【００８７】
システムは、（３ｋ＋２  ｍｏｄ  Ｎ）の値を（３ｋ＋２）番目ディスカバリ期間内、または（３ｋ＋２）番目ディスカバリ期間が到来する前に同報通信し、その値を現在のディスカバリ期間の現在のディスカバリフレームの識別子として使用することができ、ここでｋ＝０，１，２．．．である。
【００８８】
端末は、この現在のディスカバリ期間の現在のディスカバリフレームの識別子に応じて、現在のディスカバリ期間の周波数−時間パターンを取得する。
【００８９】
解１０：ディスカバリフレームの繰り返し周期がＮであり、ここで、Ｎは３で割り切れる整数を含む。
【００９０】
システムは、（ｋ  ｍｏｄ  Ｎ／３）の値を（３ｋ＋２）番目ディスカバリ期間内、または（３ｋ＋２）番目ディスカバリ期間が到来する前に同報通信し、その値を現在のディスカバリ期間の現在のディスカバリフレームの識別子として使用することができ、ここでｋ＝０，１，２．．．である。
【００９１】
端末は、この現在のディスカバリ期間の現在のディスカバリフレームの識別子に応じて、（３ｋ＋２  ｍｏｄ  Ｎ）を取得し、これは、現在のディスカバリ期間のシーケンス番号を取得することに等しく、その結果、現在のディスカバリ期間の周波数−時間パターンが取得されるようになる。
【００９２】
この解では、基地局は、同報通信を使用することにより、事前設定ディスカバリ期間が到来する前に、または事前設定ディスカバリ期間内に、現在のディスカバリ期間の現在のディスカバリフレームの識別子を送信し、その結果、その同報通信を受信する端末が、同報通信の、現在のディスカバリ期間の現在のディスカバリフレームの識別子に応じて、現在のディスカバリ期間の周波数−時間パターンを取得するようになる。明らかに、事前設定ディスカバリ期間は、上記１０個の解よりも多くを含み、これらは、本発明のこの実施形態では１つずつ列挙されない。
【００９３】
図３は、本発明の別の実施形態による通信方法の概略流れ図である。この実施形態は端末によって実行される。図３を参照すると、この方法は以下のステップを含むことができる。
【００９４】
３０１．  端末が、基地局から送信された同報通信を受信し、この同報通信から現在のディスカバリ期間の現在のディスカバリフレームの識別子を獲得する。
【００９５】
現在のディスカバリフレームの識別子は、ディスカバリ期間の周波数−時間パターンを識別するために使用され、端末は、ディスカバリ期間の周波数−時間パターンに応じてディスカバリ信号を送信または受信する。ディスカバリ期間のディスカバリフレームの識別子は、現在のディスカバリ期間のシーケンス番号、およびディスカバリフレームの繰り返し周期に応じて取得される。詳細は、上記式（１）を参照されたい。
【００９６】
選択的に、ステップ３０１において、端末によって、基地局によって送信された同報通信を受信し、この同報通信から現在のディスカバリ期間の現在のディスカバリフレームの識別子を獲得するステップは、
端末によって同報通信を使用することにより、現在のディスカバリ期間が到来する前に、現在のディスカバリ期間の現在のディスカバリフレームの識別子を受信するステップを含むことができる。
【００９７】
ＬＴＥシステムのＤ２Ｄ通信に割り当てられた各ディスカバリ期間が到来する前に、基地局によって送信される同報通信は、現在のディスカバリ期間の現在のディスカバリフレームの識別子を含み、その同報通信を受信する端末は、同報通信から現在のディスカバリ期間の現在のディスカバリフレームの識別子を取得する。
【００９８】
あるいは、端末は、同報通信を使用することにより、現在のディスカバリ期間内に、現在のディスカバリ期間の現在のディスカバリフレームの識別子を受信する。
【００９９】
基地局はまた、ＬＴＥシステムのＤ２Ｄ通信に割り当てられた各ディスカバリ期間内に、現在のディスカバリ期間の現在のディスカバリフレームの識別子を含む同報通信を送信することもでき、その同報通信を受信する端末は、同報通信から現在のディスカバリ期間の現在のディスカバリフレームの識別子を取得する。
【０１００】
この解では、端末が、現在のディスカバリ期間が到来する前に、または現在のディスカバリ期間内に、現在のディスカバリ期間の現在のディスカバリフレームの識別子を受信し、その現在のディスカバリフレームの識別子に応じて、現在のディスカバリ期間の周波数−時間パターンを取得することができる。
【０１０１】
さらに、選択的に、ステップ３０１において、基地局はまた、ＬＴＥシステムのＤ２Ｄ通信に割り当てられたいくつかのディスカバリ期間内に、現在のディスカバリ期間の現在のディスカバリフレームの識別子を含む同報通信を送信することもできる。
【０１０２】
詳細には、現在のディスカバリ期間が事前設定ディスカバリ期間である場合、ステップ３０１では、端末によって、基地局から送信された同報通信を受信し、その同報通信から現在のディスカバリ期間の現在のディスカバリフレームの識別子を獲得するステップは、
端末によって同報通信を使用することにより、事前設定ディスカバリ期間が到来する前に、現在のディスカバリ期間の現在のディスカバリフレームの識別子を受信するステップと、
端末によって同報通信を使用することにより、事前設定ディスカバリ期間内に、現在のディスカバリ期間の現在のディスカバリフレームの識別子を受信するステップとを含むことができる。
【０１０３】
事前設定ディスカバリ期間は、ＬＴＥシステムのＤ２Ｄ通信に割り当てられたディスカバリ期間中にいくつかのディスカバリ期間を含むことができる。詳細には、上記解１から１０を参照されたい。
【０１０４】
選択的に、現在のディスカバリ期間が、事前設定ディスカバリ期間の後のディスカバリ期間である場合、ステップ３０１において、端末によって、基地局によって送信された同報通信を受信し、その同報通信から現在のディスカバリ期間の現在のディスカバリフレームの識別子を獲得するステップは、
端末によって、事前設定ディスカバリ期間の現在のディスカバリフレームの識別子、およびシステムクロックに応じて、現在のディスカバリ期間の現在のディスカバリフレームの識別子を計算するステップを含むことができる。
【０１０５】
端末は、事前設定ディスカバリ期間の現在のディスカバリフレームの識別子を受信し、この事前設定ディスカバリ期間の現在のディスカバリフレームの識別子、およびシステムクロックに応じて、事前設定ディスカバリ期間の後のディスカバリ期間の現在のディスカバリフレームの識別子（すなわち、現在のディスカバリ期間の現在のディスカバリフレームの識別子）を計算することができる。
【０１０６】
この解では、端末が、同報通信を使用することにより、事前設定ディスカバリ期間が到来する前に、または事前設定ディスカバリ期間内に、現在のディスカバリ期間の現在のディスカバリフレームの識別子を受信し、同報通信の、現在のディスカバリ期間の現在のディスカバリフレームの識別子に応じて、現在のディスカバリ期間の周波数−時間パターンを取得することができる。
【０１０７】
３０２．  端末は、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得する。
【０１０８】
端末は、周波数−時間位置の初期値、現在のディスカバリ期間の現在のディスカバリフレームの識別子、およびホッピング関数に応じて、現在のディスカバリ期間の周波数−時間パターン、または現在のディスカバリ期間の後のディスカバリ期間の周波数−時間パターンを獲得する。
【０１０９】
ホッピング関数は、現在のディスカバリ期間の周波数−時間位置から次のディスカバリ期間の周波数−時間位置までの反復関数であり、すなわち、連続したディスカバリ期間中のディスカバリ信号の周波数−時間位置関係である。たとえば、上記式（２）および（３）は、ホッピング関数を示す。
【０１１０】
詳細には、端末は、端末の周波数−時間位置の初期値、すなわち、ディスカバリ期間シーケンス番号ｔ＝０のときに使用される周波数−時間位置の初期値をあらかじめ取得し、現在のディスカバリ期間の現在のディスカバリフレームの識別子に応じて、かつ上記式（２）および（３）に関して、現在のディスカバリ期間中に端末の周波数−時間パターンを取得することができ、また、別の端末によって発見されるように、周波数−時間パターン内の周波数−時間位置でディスカバリ信号を送信する。
【０１１１】
端末は、現在のディスカバリ期間の現在のディスカバリフレームの識別子に応じて、かつ上記式（２）および（３）に関して、現在のディスカバリ期間中に別の端末の周波数−時間位置をさらに取得することもできる。詳細には、端末は、現在のディスカバリ期間の現在のディスカバリフレームの識別子に応じて、現在のディスカバリ期間の前のディスカバリ期間のディスカバリフレームの識別子を取得し、別の端末の、現在のディスカバリ期間の前のディスカバリ期間中に検出された、ディスカバリフレームの識別子および周波数−時間位置に応じて、かつ上記式（２）および（３）に関して、別の端末の周波数−時間位置の初期値を計算し、その初期値と、現在のディスカバリ期間の現在のディスカバリフレームの識別子とに応じて、現在のディスカバリ期間中に別の端末の周波数−時間パターンを取得することができ、また、別の端末の、周波数−時間パターン内の周波数−時間位置で別の端末のディスカバリ信号を受信する。端末はまた、現在のディスカバリ期間中、および現在のディスカバリ期間の前のディスカバリ期間中に別の端末のディスカバリ信号を合同で検出することもでき、検出が成功した場合、端末は、別の端末とのエンドツーエンド（end-to-end）通信を実施することができる。
【０１１２】
類推によって、端末はさらに、現在のディスカバリ期間の周波数−時間パターンに応じて、現在のディスカバリ期間の後のディスカバリ期間の周波数−時間パターンを取得することができ、全繰り返し周期中のディスカバリ期間の周波数−時間パターンを取得することもできる。
【０１１３】
端末が、検出によって現在のディスカバリ期間中に別の端末のディスカバリ信号を見い出すが、干渉、低いチャネル品質などの理由によりディスカバリ信号の受信結果が非常に悪い場合、端末は、現在のディスカバリ期間の後のディスカバリ期間中、たとえば次のディスカバリ期間中に別の端末のディスカバリ信号を再び、別の端末の取得周波数−時間位置で検出すること、または合同検出を実施することができ、検出が成功した場合、端末は別の端末とのエンドツーエンド通信を実施することができる。
【０１１４】
端末が、検出によって現在のディスカバリ期間中に別の端末のディスカバリ信号を見い出さない場合、現在のディスカバリ期間の現在のディスカバリフレームの識別子に応じて、かつ上記式（２）および（３）に関して、現在のディスカバリ期間中に端末の周波数−時間パターンを取得することができ、また、別の端末によって発見されるように、周波数−時間パターンに対応する周波数−時間位置でディスカバリ信号を送信する。端末はさらに、現在のディスカバリ期間の周波数−時間パターンに応じて、かつ式（２）および（３）に関して、現在のディスカバリ期間の後のディスカバリ期間中に端末の周波数−時間パターンを取得することができ、また、別の端末によって発見されるように、周波数−時間パターンに対応する周波数−時間位置でディスカバリ信号を送信する。
【０１１５】
選択的に、現在のディスカバリ期間が事前設定ディスカバリ期間の後のディスカバリ期間である場合、端末は、同報通信から受信された、事前設定ディスカバリ期間の現在のディスカバリフレームの識別子と、システムクロックとに応じて、現在のディスカバリ期間の現在のディスカバリフレームの識別子を計算し、現在のディスカバリ期間の現在のディスカバリフレームの取得された識別子に応じて、現在のディスカバリ期間の周波数−時間パターンを取得する。
【０１１６】
この実施形態では、端末が、基地局によって送信された同報通信から現在のディスカバリ期間の現在のディスカバリフレームの識別子を獲得し、現在のディスカバリフレームの識別子に応じて、現在のディスカバリ期間の周波数−時間パターン、または現在のディスカバリ期間の後のディスカバリ期間の周波数−時間パターンを取得し、このことが、２つの連続したディスカバリ期間の間の間隔が長い場合に、端末がディスカバリ期間の周波数−時間パターンを取得することができないという従来技術の問題を解決する。
【０１１７】
図４は、本発明の実施形態による基地局の概略構造図である。基地局は、上記実施形態の通信方法を実行するように構成され、基地局は、識別子生成ユニット４１および同報通信ユニット４２を含む。
【０１１８】
識別子生成ユニット４１は、現在のディスカバリ期間の現在のディスカバリフレームの識別子を生成するように構成される。
【０１１９】
現在のディスカバリフレームの識別子は、ディスカバリ期間の周波数−時間パターンを識別するために使用され、端末が、ディスカバリ期間の周波数−時間パターンに応じてディスカバリ信号を送信または受信する。
【０１２０】
同報通信ユニット４２は、識別子生成ユニットによって生成された、現在のディスカバリ期間の現在のディスカバリフレームの識別子を同報通信するように構成され、その結果、基地局から送信された同報通信を受信する端末が、同報通信の、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するようになる。
【０１２１】
基地局は、現在のディスカバリ期間の現在のディスカバリフレームの識別子を同報通信で送信し、その同報通信を受信する端末は、同報通信の、現在のディスカバリ期間の現在のディスカバリフレームの識別子に応じて、現在のディスカバリ期間の周波数−時間パターンを取得する。特定の状況によっては、端末は、現在のディスカバリ期間の周波数−時間パターンに応じて、現在のディスカバリ期間の後のディスカバリ期間の周波数−時間パターン、たとえば現在のディスカバリ期間の次のディスカバリ期間の周波数−時間パターンをさらに獲得することもできる。
【０１２２】
この実施形態では、基地局は、現在のディスカバリ期間の現在のディスカバリフレームの識別子を同報通信し、その結果、端末が、現在のディスカバリ期間の現在のディスカバリフレームの識別子に応じて、現在のディスカバリ期間の周波数−時間パターンを獲得するようになり、このことが、２つの連続したディスカバリ期間の間の間隔が長い場合に、端末がディスカバリ期間の周波数−時間パターンを取得することができないという従来技術の問題を解決する。
【０１２３】
上記の解に基づいて、識別子生成ユニット４１は、
現在のディスカバリ期間のシーケンス番号、およびディスカバリフレームの繰り返し周期に応じて、現在のディスカバリ期間の現在のディスカバリフレームの識別子を計算するように特に構成される。
【０１２４】
詳細には、識別子生成ユニット４１は、式  ｉｎｄｅｘ＝ｔ  ｍｏｄ  Ｎ  によって現在のディスカバリ期間の現在のディスカバリフレームの識別子を計算し、ここで、
ｉｎｄｅｘは現在のディスカバリ期間の現在のディスカバリフレームの識別子であり、ｔは現在のディスカバリ期間のシーケンス番号であり、Ｎはディスカバリフレームの繰り返し周期であり、ｍｏｄはモジュロ演算である。
【０１２５】
ＬＴＥシステムでは、基地局は、現在のディスカバリ期間の現在のディスカバリフレームの識別子を同報通信することができ、その同報通信を受信する端末は、同報通信から現在のディスカバリ期間の現在のディスカバリフレームの識別子を取得する。現在のディスカバリフレームの識別子は、現在のディスカバリ期間のシーケンス番号、および現在のディスカバリフレームの識別子の繰り返し周期に応じて取得され、端末は、その現在のディスカバリフレームの識別子に応じて、現在のディスカバリ期間の周波数−時間パターンを取得する。
【０１２６】
さらに、上記の解に基づいて、同報通信ユニット４２は、
現在のディスカバリ期間が到来する前に同報通信を送信するように特に構成され、ここで、同報通信は、識別子生成ユニットによって生成された、現在のディスカバリ期間の現在のディスカバリフレームの識別子を含むか、または
現在のディスカバリ期間内に同報通信を送信するように特に構成され、ここで、同報通信は、識別子生成ユニットによって生成された、現在のディスカバリ期間の現在のディスカバリフレームの識別子を含む。
【０１２７】
ＬＴＥシステムのＤ２Ｄ通信に割り当てられた各ディスカバリ期間が到来する前に、基地局によって送信される同報通信は、現在のディスカバリ期間の現在のディスカバリフレームの識別子を含み、その同報通信を受信する端末は、同報通信から現在のディスカバリ期間の現在のディスカバリフレームの識別子を取得し、また、現在のディスカバリ期間の現在のディスカバリフレームの識別子に応じて、現在のディスカバリ期間の周波数−時間パターンを取得する。
【０１２８】
あるいは、基地局は、現在のディスカバリ期間内に同報通信を送信し、ここで同報通信は、現在のディスカバリ期間の現在のディスカバリフレームの識別子を含む。
【０１２９】
基地局はまた、ＬＴＥシステムのＤ２Ｄ通信に割り当てられた各ディスカバリ期間内に、現在のディスカバリ期間の現在のディスカバリフレームの識別子を含む同報通信を送信することもでき、その同報通信を受信する端末は、同報通信から現在のディスカバリ期間の現在のディスカバリフレームの識別子を取得し、また、現在のディスカバリ期間の現在のディスカバリフレームの識別子に応じて、現在のディスカバリ期間の周波数−時間パターンを取得する。
【０１３０】
この解では、基地局が、同報通信を使用することにより、現在のディスカバリ期間が到来する前に、または現在のディスカバリ期間内に、現在のディスカバリ期間の現在のディスカバリフレームの識別子を送信し、その結果、その同報通信を受信する端末が、現在のディスカバリ期間の現在のディスカバリフレームの識別子に応じて、現在のディスカバリ期間の周波数−時間パターン、または現在のディスカバリ期間の後のディスカバリ期間の周波数−時間パターンを取得できるようになる。
【０１３１】
選択的に、基地局はまた、ＬＴＥシステムのＤ２Ｄ通信に割り当てられたいくつかのディスカバリ期間内の、現在のディスカバリ期間の現在のディスカバリフレームの識別子を含む同報通信を送信することもできる。同報通信ユニット４２は、
事前設定ディスカバリ期間が到来する前に同報通信を送信するように特に構成され、ここで、同報通信は、識別子生成ユニットによって生成された、現在のディスカバリ期間の現在のディスカバリフレームの識別子を含むか、または
事前設定ディスカバリ期間内に同報通信を送信するように特に構成され、ここで、同報通信は、識別子生成ユニットによって生成された、現在のディスカバリ期間の現在のディスカバリフレームの識別子を含む。
【０１３２】
事前設定ディスカバリ期間は、ＬＴＥシステムのＤ２Ｄ通信に割り当てられたディスカバリ期間中にいくつかのディスカバリ期間を含むことができる。詳細には、上記実施形態の解１から１０を参照されたい。
【０１３３】
この解では、基地局が、同報通信を使用することにより、事前設定ディスカバリ期間が到来する前に、または事前ディスカバリ期間内に、現在のディスカバリ期間の現在のディスカバリフレームの識別子を送信し、その結果、その同報通信を受信する端末が、同報通信の、現在のディスカバリ期間の現在のディスカバリフレームの識別子に応じて、現在のディスカバリ期間の周波数−時間パターンを取得するようになる。
【０１３４】
図５は、本発明の実施形態による端末の概略構造図である。端末は、上記の実施形態の通信方法を実行するように構成され、また端末は、受信ユニット５１および獲得ユニット５２を含む。
【０１３５】
受信ユニット５１は、基地局によって送信された同報通信を受信し、その同報通信から現在のディスカバリ期間の現在のディスカバリフレームの識別子を獲得するように構成される。
【０１３６】
現在のディスカバリフレームの識別子は、ディスカバリ期間の周波数−時間パターンを識別するために使用され、端末は、ディスカバリ期間の周波数−時間パターンに応じてディスカバリ信号を送信または受信する。受信ユニットによって獲得された、ディスカバリ期間のディスカバリフレームの識別子は、現在のディスカバリ期間のシーケンス番号、およびディスカバリフレームの繰り返し周期に応じて取得される。詳細は、上記式（１）を参照されたい。
【０１３７】
獲得ユニット５２は、受信ユニットによって獲得された、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するように構成される。
【０１３８】
この実施形態では、端末が、基地局によって送信された同報通信から現在のディスカバリ期間の現在のディスカバリフレームの識別子を獲得し、現在のディスカバリフレームの識別子に応じて、現在のディスカバリ期間の周波数−時間パターン、または現在のディスカバリ期間の後のディスカバリ期間の周波数−時間パターンを取得し、このことが、２つの連続したディスカバリ期間の間の間隔が長い場合に、端末がディスカバリ期間の周波数−時間パターンを取得することができないという従来技術の問題を解決する。
【０１３９】
上記の解に基づいて、選択的に、受信ユニット５１は、
同報通信を使用することにより、現在のディスカバリ期間が到来する前に現在のディスカバリ期間の現在のディスカバリフレームの識別子を受信するように特に構成される。
【０１４０】
ＬＴＥシステムのＤ２Ｄ通信に割り当てられた各ディスカバリ期間が到来する前に、基地局によって送信される同報通信は、現在のディスカバリ期間の現在のディスカバリフレームの識別子を含み、その同報通信を受信する端末は、同報通信から現在のディスカバリ期間の現在のディスカバリフレームの識別子を取得する。
【０１４１】
あるいは、受信ユニット５１は、同報通信を使用することにより、現在のディスカバリ期間内に、現在のディスカバリ期間の現在のディスカバリフレームの識別子を受信する。基地局はまた、ＬＴＥシステムのＤ２Ｄ通信に割り当てられた各ディスカバリ期間内に、現在のディスカバリ期間の現在のディスカバリフレームの識別子を含む同報通信を送信することもでき、その同報通信を受信する端末は、同報通信から現在のディスカバリ期間の現在のディスカバリフレームの識別子を取得する。
【０１４２】
この解では、端末が、現在のディスカバリ期間が到来する前に、または現在のディスカバリ期間内に、現在のディスカバリ期間の現在のディスカバリフレームの識別子を受信し、その現在のディスカバリフレームの識別子に応じて、現在のディスカバリ期間の周波数−時間パターンを取得することができる。
【０１４３】
さらに、選択的に、現在のディスカバリ期間が事前設定ディスカバリ期間である場合、受信ユニット５１は、
同報通信を使用することにより、事前設定ディスカバリ期間が到来する前に、現在のディスカバリ期間の現在のディスカバリフレームの識別子を受信するように、または
同報通信を使用することにより、事前設定ディスカバリ期間内に、現在のディスカバリ期間の現在のディスカバリフレームの識別子を受信するように特に構成される。
【０１４４】
事前設定ディスカバリ期間は、ＬＴＥシステムのＤ２Ｄ通信に割り当てられたディスカバリ期間中にいくつかのディスカバリ期間を含むことができる。詳細は、上記解１から１０を参照されたい。
【０１４５】
現在のディスカバリ期間が、事前設定ディスカバリ期間の後のディスカバリ期間である場合、受信ユニット５１は、
事前設定ディスカバリ期間の現在のディスカバリフレームの識別子、およびシステムクロックに応じて、現在のディスカバリ期間の現在のディスカバリフレームの識別子を計算するように特に構成される。
【０１４６】
端末は、事前設定ディスカバリ期間の現在のディスカバリフレームの識別子を受信し、この事前設定ディスカバリ期間の現在のディスカバリフレームの識別子、およびシステムクロックに応じて、事前設定ディスカバリ期間の後のディスカバリ期間の現在のディスカバリフレームの識別子（すなわち、現在のディスカバリ期間の現在のディスカバリフレームの識別子）を計算することができる。
【０１４７】
この解では、端末が、同報通信を使用することによって、事前設定ディスカバリ期間が到来する前に、または事前設定ディスカバリ期間内に、現在のディスカバリ期間の現在のディスカバリフレームの識別子を受信し、同報通信の、現在のディスカバリ期間の現在のディスカバリフレームの識別子に応じて、現在のディスカバリ期間の周波数−時間パターンを取得することができる。
【０１４８】
図６は、本発明の別の実施形態による基地局の概略構造図であり、基地局は、上記実施形態で提供された通信方法を実現するように構成される。図６を参照すると、基地局は、少なくとも１つのプロセッサ６１、メモリ６２、バス６３、および送信機６４を含み、バス６３は、プロセッサ６１とメモリ６２の間の接続および通信を実現するように構成され、メモリ６２は、プロセッサ６１によって実行されるプログラムコード、およびデータを記憶するように構成される。
【０１４９】
バス６３は、業界標準アーキテクチャ（Industry Standard Architecture、略してＩＳＡ）バス、周辺装置相互接続（Peripheral Component、略してＰＣＩ）バス、または拡張業界標準アーキテクチャ（Extended Industry Standard Architecture、略してＥＩＳＡ）バスなどでよく、本明細書では限定されない。バス６３は、アドレスバス、データバス、制御バスなどに分類され得る。表示を簡単にするために、図６ではバスを表示するのに１本の太線だけが使用されているが、これは、１本のバスしかないこと、または１種類のバスしかないことを意味しない。
【０１５０】
メモリ６２は、データまたは実行可能プログラムコードを記憶するように構成され、プログラムコードは、具体的にはオペレーティングシステム、アプリケーションプログラムなどであり得るコンピュータ操作命令を含む。メモリ６２は、高速ＲＡＭメモリを含むことができ、または不揮発性メモリ（non-volatile memory）、たとえば少なくとも１つの磁気ディスク記憶装置をさらに含むこともできる。
【０１５１】
プロセッサ６１は中央処理装置（Central Processing Unit、略してＣＰＵ）、または特定用途向け集積回路（Application Specific Integration Circuit、略してＡＳＩＣ）、または本発明の実施形態を実現するように構成された１または複数の集積回路でよい。
【０１５２】
プロセッサ６１は、メモリ６２内のプログラムコードを実行することによって上記の実施形態の通信方法を実現するように構成される。
【０１５３】
プロセッサ６１は、現在のディスカバリ期間の現在のディスカバリフレームの識別子を生成するように構成される。
【０１５４】
送信機６４は、プロセッサ６１によって生成された、現在のディスカバリ期間の現在のディスカバリフレームの識別子を同報通信するように構成され、その結果、基地局から送信された同報通信を受信する端末が、同報通信の、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するようになる。
【０１５５】
現在のディスカバリフレームの識別子は、ディスカバリ期間の周波数−時間パターンを識別するために使用され、端末は、ディスカバリ期間の周波数−時間パターンに応じてディスカバリ信号を送信または受信する。
【０１５６】
基地局は、現在のディスカバリ期間の現在のディスカバリフレームの識別子を同報通信で送信し、その同報通信を受信する端末は、同報通信の、現在のディスカバリ期間の現在のディスカバリフレームの識別子に応じて、現在のディスカバリ期間の周波数−時間パターンを取得する。特定の状況によっては、端末は、現在のディスカバリ期間の周波数−時間パターンに応じて、現在のディスカバリ期間の後のディスカバリ期間の周波数−時間パターン、たとえば現在のディスカバリ期間の次のディスカバリ期間の周波数−時間パターン、をさらに獲得することもできる。
【０１５７】
この実施形態では、基地局は、現在のディスカバリ期間の現在のディスカバリフレームの識別子を同報通信し、その結果、端末が、現在のディスカバリ期間の現在のディスカバリフレームの識別子に応じて、現在のディスカバリ期間の周波数−時間パターンを獲得するようになり、このことが、２つの連続したディスカバリ期間の間の間隔が長い場合に、端末がディスカバリ期間の周波数−時間パターンを取得することができないという従来技術の問題を解決する。
【０１５８】
上記の解に基づいて、プロセッサ６１は、
現在のディスカバリ期間のシーケンス番号、およびディスカバリフレームの繰り返し周期に応じて、現在のディスカバリ期間の現在のディスカバリフレームの識別子を計算するように特に構成される。
【０１５９】
詳細には、プロセッサ６１は、式  ｉｎｄｅｘ＝ｔ  ｍｏｄ  Ｎ  によって現在のディスカバリ期間の現在のディスカバリフレームの識別子を計算し、ここで、
ｉｎｄｅｘは現在のディスカバリ期間の現在のディスカバリフレームの識別子であり、ｔは現在のディスカバリ期間のシーケンス番号であり、Ｎはディスカバリフレームの繰り返し周期であり、ｍｏｄはモジュロ演算である。
【０１６０】
ＬＴＥシステムでは、基地局は、現在のディスカバリ期間の現在のディスカバリフレームの識別子を同報通信することができ、その同報通信を受信する端末は、同報通信から現在のディスカバリ期間の現在のディスカバリフレームの識別子を取得する。現在のディスカバリフレームの識別子は、現在のディスカバリ期間のシーケンス番号、および現在のディスカバリフレームの識別子の繰り返し周期に応じて取得され、端末は、その現在のディスカバリフレームの識別子に応じて、現在のディスカバリ期間の周波数−時間パターンを取得する。
【０１６１】
さらに、上記の解に基づいて、送信機６４は、
現在のディスカバリ期間が到来する前に同報通信を送信するように特に構成され、ここで、同報通信は、プロセッサで生成された、現在のディスカバリ期間の現在のディスカバリフレームの識別子を含むか、または
現在のディスカバリ期間内に同報通信を送信するように特に構成され、ここで、同報通信は、プロセッサによって生成された、現在のディスカバリ期間の現在のディスカバリフレームの識別子を含む。
【０１６２】
この解では、基地局が、同報通信を使用することにより、現在のディスカバリ期間が到来する前に、または現在のディスカバリ期間内に、現在のディスカバリ期間の現在のディスカバリフレームの識別子を送信し、その結果、その同報通信を受信する端末が、現在のディスカバリ期間の現在のディスカバリフレームの識別子に応じて、現在のディスカバリ期間の周波数−時間パターン、または現在のディスカバリ期間の後のディスカバリ期間の周波数−時間パターンを取得できるようになる。
【０１６３】
任意選択で、基地局はまた、ＬＴＥシステムのＤ２Ｄ通信に割り当てられたいくつかのディスカバリ期間内の、現在のディスカバリ期間の現在のディスカバリフレームの識別子を含む同報通信を送信することもできる。送信機６４は、
事前設定ディスカバリ期間が到来する前に同報通信を送信するように特に構成され、ここで、同報通信は、プロセッサによって生成された、現在のディスカバリ期間の現在のディスカバリフレームの識別子を含むか、または
事前設定ディスカバリ期間内に同報通信を送信するように特に構成され、ここで、同報通信は、プロセッサで生成された、現在のディスカバリ期間の現在のディスカバリフレームの識別子を含む。
【０１６４】
事前設定ディスカバリ期間は、ＬＴＥシステムのＤ２Ｄ通信に割り当てられたディスカバリ期間中にいくつかのディスカバリ期間を含むことができる。詳細には、上記の実施形態の解１から１０を参照されたい。
【０１６５】
この解では、基地局が、同報通信を使用することにより、事前設定ディスカバリ期間が到来する前に、または事前ディスカバリ期間内に、現在のディスカバリ期間の現在のディスカバリフレームの識別子を送信し、その結果、その同報通信を受信する端末が、同報通信の、現在のディスカバリ期間の現在のディスカバリフレームの識別子に応じて、現在のディスカバリ期間の周波数−時間パターンを取得するようになる。
【０１６６】
図７は、本発明の別の実施形態による端末の概略構造図である。端末は、上記の実施形態の通信方法を実行するように構成される。端末は、少なくとも１つのプロセッサ７１、メモリ７２、バス７３、および受信機７４を含み、バス７３は、プロセッサ７１とメモリ７２の間の接続および通信を実現するように構成され、メモリ７２は、プロセッサ７１によって実行されるプログラムコード、およびデータを記憶するように構成される。
【０１６７】
バス７３は、業界標準アーキテクチャ（Industry Standard Architecture、略してＩＳＡ）バス、周辺装置相互接続（Peripheral Component、略してＰＣＩ）バス、または拡張業界標準アーキテクチャ（Extended Industry Standard Architecture、略してＥＩＳＡ）バスなどでよく、本明細書では限定されない。バス７３は、アドレスバス、データバス、制御バスなどに分類され得る。表示を簡単にするために、図７ではバスを表示するのに１本の太線だけが使用されているが、これは、１本のバスしかないこと、または１種類のバスしかないことを意味しない。
【０１６８】
メモリ７２は、データまたは実行可能プログラムコードを記憶するように構成され、プログラムコードは、具体的にはオペレーティングシステム、アプリケーションプログラムなどであり得るコンピュータ操作命令を含む。メモリ７２は、高速ＲＡＭメモリを含むことができ、または不揮発性メモリ（non-volatile memory）、たとえば少なくとも１つの磁気ディスク記憶装置をさらに含むこともできる。
【０１６９】
プロセッサ７１は中央処理装置（Central Processing Unit、略してＣＰＵ）、または特定用途向け集積回路（Application Specific Integrated Circuit、略してＡＳＩＣ）、または本発明の実施形態を実現するように構成された１または複数の集積回路でよい。
【０１７０】
プロセッサ７１は、メモリ７２内のプログラムコードを実行することによって、上記の実施形態の通信方法を実現するように構成される。
【０１７１】
受信機７４は、基地局から送信された同報通信を受信し、プロセッサ７１は、この同報通信から現在のディスカバリ期間の現在のディスカバリフレームの識別子を獲得するように構成される。
【０１７２】
現在のディスカバリフレームの識別子は、ディスカバリ期間の周波数−時間パターンを識別するために使用され、端末は、ディスカバリ期間の周波数−時間パターンに応じてディスカバリ信号を送信または受信する。受信ユニットで獲得された、ディスカバリ期間のディスカバリフレームの識別子は、現在のディスカバリ期間のシーケンス番号、およびディスカバリフレームの繰り返し周期に応じて取得される。詳細には、式（１）を参照されたい。
【０１７３】
プロセッサ７１は、現在のディスカバリ期間の現在のディスカバリフレームの識別子に応じて、現在のディスカバリ期間の周波数−時間パターン、または現在のディスカバリ期間の後のディスカバリ期間の周波数−時間パターンを獲得するように構成される。
【０１７４】
この実施形態では、端末が、基地局で送信された同報通信から現在のディスカバリ期間の現在のディスカバリフレームの識別子を獲得し、現在のディスカバリフレームの識別子に応じて、現在のディスカバリ期間の周波数−時間パターン、または現在のディスカバリ期間の後のディスカバリ期間の周波数−時間パターンを取得し、このことが、２つの連続したディスカバリ期間の間の間隔が長い場合に、端末がディスカバリ期間の周波数−時間パターンを取得することができない、という従来技術の問題を解決する。
【０１７５】
上記の解に基づいて、選択的に、受信機７４は、
同報通信を使用することにより、現在のディスカバリ期間が到来する前に現在のディスカバリ期間の現在のディスカバリフレームの識別子を受信するように、または
同報通信を使用することにより、現在のディスカバリ期間内に、現在のディスカバリ期間の現在のディスカバリフレームの識別子を受信するように特に構成される。
【０１７６】
この解では、端末が、現在のディスカバリ期間が到来する前に、または現在のディスカバリ期間内に、現在のディスカバリ期間の現在のディスカバリフレームの識別子を受信し、その現在のディスカバリフレームの識別子に応じて、現在のディスカバリ期間の周波数−時間パターンを取得することができる。
【０１７７】
さらに、選択的に、現在のディスカバリ期間が事前設定ディスカバリ期間である場合、受信機７４は、
端末で同報通信を使用することにより、事前設定ディスカバリ期間が到来する前に、現在のディスカバリ期間の現在のディスカバリフレームの識別子を受信するように、または
端末で同報通信を使用することによって、事前設定ディスカバリ期間内に、現在のディスカバリ期間の現在のディスカバリフレームの識別子を受信するように特に構成される。
【０１７８】
事前設定ディスカバリ期間は、ＬＴＥシステムのＤ２Ｄ通信に割り当てられたディスカバリ期間中にいくつかのディスカバリ期間を含むことができる。詳細には、上記の解１から１０を参照されたい。
【０１７９】
現在のディスカバリ期間が、事前設定ディスカバリ期間の後のディスカバリ期間である場合、受信機７４は、
端末で、事前設定ディスカバリ期間の現在のディスカバリフレームの識別子、およびシステムクロックに応じて、現在のディスカバリ期間の現在のディスカバリフレームの識別子を計算するように特に構成される。
【０１８０】
端末は、事前設定ディスカバリ期間の現在のディスカバリフレームの識別子を受信し、この事前設定ディスカバリ期間の現在のディスカバリフレームの識別子、およびシステムクロックに応じて、事前設定ディスカバリ期間の後のディスカバリ期間の現在のディスカバリフレームの識別子（すなわち、現在のディスカバリ期間の現在のディスカバリフレームの識別子）を計算することができる。
【０１８１】
この解では、端末が、同報通信を使用することによって、事前設定ディスカバリ期間が到来する前に、または事前設定ディスカバリ期間内に、現在のディスカバリ期間の現在のディスカバリフレームの識別子を受信し、同報通信の、現在のディスカバリ期間の現在のディスカバリフレームの識別子に応じて、現在のディスカバリ期間の周波数−時間パターンを取得することができる。
【０１８２】
上記の実施形態についての説明によって、当業者には、本発明がハードウェア、ファームウェア、またはこれらの組合せによって実現され得ることが明確に理解されよう。本発明がソフトウェアによって実現される場合、上記の関数は、コンピュータ可読媒体に記憶され得るか、またはコンピュータ可読媒体中で１または複数の命令またはコードとして送出され得る。コンピュータ可読媒体は、コンピュータ記憶媒体および通信媒体を含み、通信媒体は、コンピュータプログラムが１つの場所から別の場所へ送出されることを可能にするあらゆる媒体を含む。記憶媒体は、コンピュータがアクセスできる任意の利用可能媒体でよい。以下では例を提供するが、制限を課さない。コンピュータ可読媒体は、ＲＡＭ、ＲＯＭ、ＥＥＰＲＯＭ、ＣＤ−ＲＯＭ、または別の光ディスク記憶装置もしくはディスク記憶媒体、または別の磁気記憶デバイス、または他の、予想されるプログラムコードを命令もしくはデータ構造の形で保持もしくは記憶することができコンピュータによってアクセスできる、任意の媒体を含むことができる。加えて、いかなる接続もコンピュータ可読媒体として適切に定義され得る。たとえば、ソフトウェアがウェブサイト、サーバまたは別の遠隔情報源から、同軸ケーブル、光ファイバ／ケーブル、ツイストペア、デジタル加入者線（ＤＳＬ）、または赤外線、無線およびマイクロ波などの無線技術を使用することによって送出される場合、同軸ケーブル、光ファイバ／ケーブル、ツイストペア、デジタル加入者線（ＤＳＬ）、または赤外線、無線およびマイクロ波などの無線技術は、これらが属する媒体の固定に含まれる。たとえば、本発明で使用されるディスク（Ｄｉｓｋ）およびディスク（ｄｉｓｃ）は、コンパクトディスクＣＤ、レーザディスク、光ディスク、デジタルビデオディスク（ＤＶＤ）、フロッピーディスク、およびブルーレイディスクを含み、ディスク（ｄｉｓｋ）は一般に磁気手段によってデータを複写し、ディスク（ｄｉｓｃ）はレーザ手段によって光学的にデータを複写する。上記の組合せもまた、コンピュータ可読媒体の保護範囲に含まれるべきである。
【０１８３】
要約すると、上記で説明したものは、本発明の技術的解の単に例示的な実施形態にすぎないが、本発明の保護範囲を限定するものではない。本発明の趣旨および原理から逸脱することなく行われるいかなる修正、等価の置換え、または改善も、本発明の保護範囲内に入るものとする。
【図１】
2016537868.tif 000003
【図２】
2016537868.tif 000004
【図３】
2016537868.tif 000005
【図４】
2016537868.tif 000006
【図５】
2016537868.tif 000007
【図６】
2016537868.tif 000008
【図７】
2016537868.tif 000009
【手続補正書】
【提出日】平成28年5月26日(2016.5.26)
【手続補正１】
【補正対象書類名】明細書
【補正対象項目名】０００２
【補正方法】変更
【補正の内容】
【０００２】
端末から端末の通信（Ｄ２Ｄ）とは、ユーザ端末（ＵＥ）が基地局を使用せずに直接通信する通信モードのことである。Ｄ２Ｄ技術は、マクロネットワークの負担を減らすと共にＵＥ間の通信速度を向上する役割を果たすことができる。
【手続補正２】
【補正対象書類名】明細書
【補正対象項目名】０００３
【補正方法】変更
【補正の内容】
【０００３】
ＵＥ間の直接通信を実現するために、ＵＥは、まず互いを発見する必要がある。Ｄ２Ｄ通信モードをロングタームエボリューション（Long Term Evolution、略してＬＴＥ）システムに導入するには、ディスカバリ（Discovery）期間がＬＴＥシステムの中に特定の規則に従って挿入される必要があり、各ＵＥは、別のＵＥに発見されるようにディスカバリ期間中にディスカバリ信号を送出する。現行のＬＴＥシステムのセルラー通信に影響を及ぼさないようにするために、すべての２つのディスカバリ期間の間の時間間隔は、たとえば数百ミリ秒から数秒までと長くなり得る。時間に関して、各ディスカバリ期間はいくつかの時間単位に分割され、その各々がｊ∈Ｊで表され、各時間単位は、周波数分割法の同一の規則に従っていくつかの周波数−領域単位に分割することができ、その各々がｉ∈Ｉで表される。ｊ番目の時間単位中のｉ番目の周波数−領域単位は、（ｉ，ｊ）番目の周波数−時間単位と呼ばれる。各ディスカバリ期間中に、Ｄ２Ｄ通信に関与する各ＵＥは、別のＵＥの検出を容易にするために、周波数−時間単位でディスカバリ信号を送出することができる。一般に、ディスカバリ信号を同時に送出するＵＥが互いを発見できないシナリオを考慮して、周波数−時間ホッピングが各ディスカバリ期間のパターンで実施される必要がある。すなわち、各ＵＥがディスカバリ信号を各ディスカバリ期間中に送出する周波数−時間位置が変えられ、その結果、各ＵＥには、他のすべてのＵＥに発見される機会があるようになり、またディスカバリ期間のパターンは、ディスカバリ期間の周波数−時間パターンになる。
【手続補正３】
【補正対象書類名】明細書
【補正対象項目名】０００７
【補正方法】変更
【補正の内容】
【０００７】
第１の態様に関して、第１の可能な実現手法では、基地局によって、現在のディスカバリ期間の現在のディスカバリフレームの識別子を生成するステップは、
基地局によって、現在のディスカバリ期間のシーケンス番号、およびディスカバリフレームの繰り返し周期に応じて、現在のディスカバリ期間の現在のディスカバリフレームの識別子を計算するステップを含む。
【手続補正４】
【補正対象書類名】明細書
【補正対象項目名】００３２
【補正方法】変更
【補正の内容】
【００３２】
第６の態様に関して、第３の可能な実現手法では、現在のディスカバリ期間が事前設定ディスカバリ期間である場合、受信機は、
同報通信を使用することにより、事前設定ディスカバリ期間が到来する前に、現在のディスカバリ期間の現在のディスカバリフレームの識別子を受信するように、もしくは
同報通信を使用することにより、事前設定ディスカバリ期間内に、現在のディスカバリ期間の現在のディスカバリフレームの識別子を受信するように、特に構成されるか、または
現在のディスカバリ期間が、事前設定ディスカバリ期間の後のディスカバリ期間である場合、受信機は、
事前設定ディスカバリ期間の現在のディスカバリフレームの識別子、およびシステムクロックに応じて、現在のディスカバリ期間の現在のディスカバリフレームの識別子を計算するように特に構成される。
【手続補正５】
【補正対象書類名】明細書
【補正対象項目名】０１４９
【補正方法】変更
【補正の内容】
【０１４９】
バス６３は、業界標準アーキテクチャ（Industry Standard Architecture、略してＩＳＡ）バス、周辺装置相互接続（ＰＣＩ）バス、または拡張業界標準アーキテクチャ（Extended Industry Standard Architecture、略してＥＩＳＡ）バスなどでよく、本明細書では限定されない。バス６３は、アドレスバス、データバス、制御バスなどに分類され得る。表示を簡単にするために、図６ではバスを表示するのに１本の太線だけが使用されているが、これは、１本のバスしかないこと、または１種類のバスしかないことを意味しない。
【手続補正６】
【補正対象書類名】明細書
【補正対象項目名】０１６７
【補正方法】変更
【補正の内容】
【０１６７】
バス７３は、業界標準アーキテクチャ（Industry Standard Architecture、略してＩＳＡ）バス、周辺装置相互接続（ＰＣＩ）バス、または拡張業界標準アーキテクチャ（Extended Industry Standard Architecture、略してＥＩＳＡ）バスなどでよく、本明細書では限定されない。バス７３は、アドレスバス、データバス、制御バスなどに分類され得る。表示を簡単にするために、図７ではバスを表示するのに１本の太線だけが使用されているが、これは、１本のバスしかないこと、または１種類のバスしかないことを意味しない。
【手続補正７】
【補正対象書類名】明細書
【補正対象項目名】０１７２
【補正方法】変更
【補正の内容】
【０１７２】
現在のディスカバリフレームの識別子は、ディスカバリ期間の周波数−時間パターンを識別するために使用され、端末は、ディスカバリ期間の周波数−時間パターンに応じてディスカバリ信号を送信または受信する。受信機で獲得された、ディスカバリ期間のディスカバリフレームの識別子は、現在のディスカバリ期間のシーケンス番号、およびディスカバリフレームの繰り返し周期に応じて取得される。詳細には、式（１）を参照されたい。
【手続補正８】
【補正対象書類名】明細書
【補正対象項目名】０１７７
【補正方法】変更
【補正の内容】
【０１７７】
さらに、選択的に、現在のディスカバリ期間が事前設定ディスカバリ期間である場合、受信機７４は、
同報通信を使用することにより、事前設定ディスカバリ期間が到来する前に、現在のディスカバリ期間の現在のディスカバリフレームの識別子を受信するように、または
同報通信を使用することによって、事前設定ディスカバリ期間内に、現在のディスカバリ期間の現在のディスカバリフレームの識別子を受信するように特に構成される。
【手続補正９】
【補正対象書類名】明細書
【補正対象項目名】０１７９
【補正方法】変更
【補正の内容】
【０１７９】
現在のディスカバリ期間が、事前設定ディスカバリ期間の後のディスカバリ期間である場合、受信機７４は、
事前設定ディスカバリ期間の現在のディスカバリフレームの識別子、およびシステムクロックに応じて、現在のディスカバリ期間の現在のディスカバリフレームの識別子を計算するように特に構成される。
【手続補正１０】
【補正対象書類名】特許請求の範囲
【補正対象項目名】全文
【補正方法】変更
【補正の内容】
【特許請求の範囲】
【請求項１】
基地局によって、現在のディスカバリ期間の現在のディスカバリフレームの識別子を生成するステップと、
前記基地局によって、前記現在のディスカバリ期間の前記現在のディスカバリフレームの前記識別子を同報通信するステップであって、前記基地局によって送信された前記同報通信を受信する端末が、前記同報通信における、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するようになる、ステップと
を含むことを特徴とする通信方法。
【請求項２】
基地局によって、現在のディスカバリ期間の現在のディスカバリフレームの識別子を生成するステップが、
前記基地局によって、前記現在のディスカバリ期間のシーケンス番号、およびディスカバリフレームの繰り返し周期に応じて、前記現在のディスカバリ期間の前記現在のディスカバリフレームの前記識別子を計算するステップを含むことを特徴とする請求項１に記載の方法。
【請求項３】
前記基地局によって、前記現在のディスカバリ期間のシーケンス番号、およびディスカバリフレームの繰り返し周期に応じて、前記現在のディスカバリ期間の前記現在のディスカバリフレームの前記識別子を計算する前記ステップが、
前記基地局によって、式  ｉｎｄｅｘ＝ｔ  ｍｏｄ  Ｎ  によって前記現在のディスカバリ期間の前記現在のディスカバリフレームの前記識別子を計算するステップを含み、
ｉｎｄｅｘが前記現在のディスカバリ期間の前記現在のディスカバリフレームの前記識別子であり、ｔが前記現在のディスカバリ期間の前記シーケンス番号であり、Ｎがディスカバリフレームの前記繰り返し周期であり、ｍｏｄがモジュロ演算であることを特徴とする請求項２に記載の方法。
【請求項４】
前記基地局によって、前記現在のディスカバリ期間の前記現在のディスカバリフレームの前記識別子を同報通信する前記ステップが、
前記基地局によって、前記現在のディスカバリ期間が到来する前に前記同報通信を送信するステップであって、前記同報通信が、前記現在のディスカバリ期間の前記現在のディスカバリフレームの前記識別子を含む、ステップ、または
前記基地局によって、前記現在のディスカバリ期間内に前記同報通信を送信するステップであって、前記同報通信が、前記現在のディスカバリ期間の前記現在のディスカバリフレームの前記識別子を含む、ステップを含むことを特徴とする請求項１に記載の方法。
【請求項５】
前記基地局によって、前記現在のディスカバリ期間の前記現在のディスカバリフレームの前記識別子を同報通信する前記ステップが、
前記基地局によって、事前設定ディスカバリ期間が到来する前に前記同報通信を送信するステップであって、前記同報通信が、前記現在のディスカバリ期間の前記現在のディスカバリフレームの前記識別子を含む、ステップ、または
前記基地局によって、前記事前設定ディスカバリ期間内に前記同報通信を送信するステップであって、前記同報通信が、前記現在のディスカバリ期間の前記現在のディスカバリフレームの前記識別子を含む、ステップを含むことを特徴とする請求項１に記載の方法。
【請求項６】
端末によって、基地局によって送信された同報通信を受信し、前記同報通信から、現在のディスカバリ期間の現在のディスカバリフレームの識別子を獲得するステップと、
前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するステップと
を含むことを特徴とする通信方法。
【請求項７】
前記現在のディスカバリ期間の前記現在のディスカバリフレームの前記識別子が、前記現在のディスカバリ期間のシーケンス番号、およびディスカバリフレームの繰り返し周期に応じて取得されることを特徴とする請求項６に記載の方法。
【請求項８】
端末によって、基地局によって送信された同報通信を受信し、前記同報通信から、現在のディスカバリ期間の現在のディスカバリフレームの識別子を獲得する前記ステップが、
前記端末によって前記同報通信を使用することにより、前記現在のディスカバリ期間が到来する前に、前記現在のディスカバリ期間の前記現在のディスカバリフレームの前記識別子を受信するステップ、または
前記端末によって前記同報通信を使用することにより、前記現在のディスカバリ期間内に、前記現在のディスカバリ期間の前記現在のディスカバリフレームの前記識別子を受信するステップを含むことを特徴とする請求項６に記載の方法。
【請求項９】
前記現在のディスカバリ期間が事前設定ディスカバリ期間である場合、端末によって、基地局によって送信された同報通信を受信し、前記同報通信から現在のディスカバリ期間の現在のディスカバリフレームの識別子を獲得するステップは、
前記端末によって前記同報通信を使用することにより、前記事前設定ディスカバリ期間が到来する前に、前記現在のディスカバリ期間の前記現在のディスカバリフレームの前記識別子を受信するステップ、もしくは
前記端末によって前記同報通信を使用することにより、前記事前設定ディスカバリ期間内に、前記現在のディスカバリ期間の前記現在のディスカバリフレームの前記識別子を受信するステップを含む、または
前記現在のディスカバリ期間が、事前設定ディスカバリ期間の後のディスカバリ期間である場合、端末によって、基地局によって送信された同報通信を受信し、前記同報通信から現在のディスカバリ期間の現在のディスカバリフレームの識別子を獲得するステップが、
前記端末によって、前記事前設定ディスカバリ期間の現在のディスカバリフレームの識別子、およびシステムクロックに応じて、前記現在のディスカバリ期間の前記現在のディスカバリフレームの前記識別子を計算するステップを含むことを特徴とする請求項６に記載の方法。
【請求項１０】
現在のディスカバリ期間の現在のディスカバリフレームの識別子を生成するように構成された識別子生成ユニットと、
前記識別子生成ユニットによって生成された、前記現在のディスカバリ期間の前記現在のディスカバリフレームの前記識別子を同報通信するように構成された同報通信ユニットであって、前記基地局によって送信された前記同報通信を受信する端末が、前記同報通信の、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するようになる、同報通信ユニットと
を備えることを特徴とする基地局。
【請求項１１】
前記識別子生成ユニットが、
前記現在のディスカバリ期間のシーケンス番号、およびディスカバリフレームの繰り返し周期に応じて、前記現在のディスカバリ期間の前記現在のディスカバリフレームの前記識別子を計算するように特に構成されることを特徴とする請求項１０に記載の基地局。
【請求項１２】
前記識別子生成ユニットが、
式  ｉｎｄｅｘ＝ｔ  ｍｏｄ  Ｎ  によって前記現在のディスカバリ期間の前記現在のディスカバリフレームの前記識別子を計算するように特に構成され、
ｉｎｄｅｘが前記現在のディスカバリ期間の前記現在のディスカバリフレームの前記識別子であり、ｔが前記現在のディスカバリ期間の前記シーケンス番号であり、Ｎがディスカバリフレームの前記繰り返し周期であり、ｍｏｄがモジュロ演算であることを特徴とする請求項１１に記載の基地局。
【請求項１３】
前記同報通信ユニットが、
前記現在のディスカバリ期間が到来する前に前記同報通信を送信するように特に構成され、前記同報通信が、前記識別子生成ユニットによって生成された、前記現在のディスカバリ期間の前記現在のディスカバリフレームの前記識別子を含むか、または
前記現在のディスカバリ期間内に前記同報通信を送信するように特に構成され、前記同報通信が、前記識別子生成ユニットによって生成された、前記現在のディスカバリ期間の前記現在のディスカバリフレームの前記識別子を含むことを特徴とする請求項１０に記載の基地局。
【請求項１４】
前記同報通信ユニットが、
事前設定ディスカバリ期間が到来する前に前記同報通信を送信するように特に構成され、前記同報通信が、前記識別子生成ユニットによって生成された、前記現在のディスカバリ期間の前記現在のディスカバリフレームの前記識別子を含むか、または
前記事前設定ディスカバリ期間内に前記同報通信を送信するように特に構成され、前記同報通信が、前記識別子生成ユニットによって生成された、前記現在のディスカバリ期間の前記現在のディスカバリフレームの前記識別子を含むことを特徴とする請求項１０に記載の基地局。
【請求項１５】
基地局によって送信された同報通信を受信し、前記同報通信から現在のディスカバリ期間の現在のディスカバリフレームの識別子を獲得するように構成された受信ユニットと、
前記受信ユニットによって獲得された、前記現在のディスカバリ期間の前記現在のディスカバリフレームの前記識別子に応じて、前記現在のディスカバリ期間の周波数−時間パターン、または前記現在のディスカバリ期間の後のディスカバリ期間の周波数−時間パターンを獲得するように構成された獲得ユニットと
を備えることを特徴とする端末。
【請求項１６】
前記受信ユニットによって獲得された、前記現在のディスカバリ期間の前記現在のディスカバリフレームの前記識別子が、前記現在のディスカバリ期間のシーケンス番号、およびディスカバリフレームの繰り返し周期に応じて取得されることを特徴とする請求項１５に記載の端末。
【請求項１７】
前記受信ユニットが、
前記同報通信を使用することにより、前記現在のディスカバリ期間が到来する前に、前記現在のディスカバリ期間の前記現在のディスカバリフレームの前記識別子を受信するように、または
前記同報通信を使用することにより、前記現在のディスカバリ期間内に、前記現在のディスカバリ期間の前記現在のディスカバリフレームの前記識別子を受信するように特に構成されることを特徴とする請求項１５に記載の端末。
【請求項１８】
前記現在のディスカバリ期間が事前設定ディスカバリ期間である場合、前記受信ユニットが、
前記同報通信を使用することにより、前記事前設定ディスカバリ期間が到来する前に、前記現在のディスカバリ期間の前記現在のディスカバリフレームの前記識別子を受信するように、もしくは
前記同報通信を使用することによって、前記事前設定ディスカバリ期間内に、前記現在のディスカバリ期間の前記現在のディスカバリフレームの前記識別子を受信するように特に構成されるか、または
前記現在のディスカバリ期間が、事前設定ディスカバリ期間の後のディスカバリ期間である場合、前記受信ユニットが、
前記事前設定ディスカバリ期間の現在のディスカバリフレームの識別子、およびシステムクロックに応じて、前記現在のディスカバリ期間の前記現在のディスカバリフレームの前記識別子を計算するように特に構成されることを特徴とする請求項１５に記載の端末。
【国際調査報告】
2016537868.tif 000010
2016537868.tif 000011
2016537868.tif 000012
2016537868.tif 000013